(57)【要約】【課題】従来タイプより小型でありながらも、迷光が少なく、諸収差が良好に補正された、５枚構成の撮像レンズを提供すること。【解決手段】撮像レンズ１０は、撮像素子５１の撮像面（被投影面）Ｉに被写体像を結像させるものであって、物体側より順に、光軸ＡＸ近傍で物体側に凸面を向けた正の第１レンズＬ１と、光軸ＡＸ近傍で負の第２レンズＬ２と、第３レンズＬ３と、第４レンズＬ４と、光軸ＡＸ近傍で像側に凹面を向けた負の第５レンズＬ５とを備える。この撮像レンズ１０では、第３レンズＬ３の像側面Ｓ３２が点線と交差する有効径位置で像側に傾くことで、最大像高に結像する光線束の周縁光線が第３レンズＬ３の像側面Ｓ３２で跳ね上げられるため、第３レンズＬ３の通過後の光線に光軸ＡＸに対して大きな角度を持たせることが容易になり、低背化に有利になる。【選択図】図１
2014153577.tif 000002
【特許請求の範囲】
【請求項１】
物体側から順に、物体側に凸面を向けた正の第１レンズと、第２レンズと、第３レンズと、第４レンズと、像側に凹面を向けた第５レンズとからなり、
前記第５レンズの像側面は、非球面で有効径内に変曲点を持ち、
前記第２レンズ及び前記第３レンズの少なくとも一方が負レンズであり、
開口絞りは、前記第３レンズより物体側にあり、
前記第３レンズと前記第４レンズとの間、及び、前記第４レンズと前記第５レンズとの間に遮光絞りを有し、
前記第３レンズの像側面は、変曲点を持ち、有効径の７割以上の一部もしくは全体が負のパワーを持つことを特徴とする撮像レンズ。
【請求項２】
前記第４レンズの物体側面は非球面形状を有し、条件式（１）を満たすことを特徴とする請求項１に記載の撮像レンズ。
０．０１５＜ＡＳ７／ｆ＜０．０７    …    （１）
ただし、
ＡＳ７：前記第４レンズの物体側面の非球面形状と、前記第４レンズの有効径位置及び中心点を結ぶ球面形状との最大乖離量（ｍｍ）
ｆ：撮像レンズ全系の焦点距離
【請求項３】
条件式（２）を満たすことを特徴とする請求項１及び２のいずれか一項に記載の撮像レンズ。
０．７５＜ｄΦ／ｄｚ＜２．５    …    （２）
ｄΦ：前記第４及び第５レンズ間の遮光絞りの直径と前記第３及び第４レンズ間の遮光絞りの直径との差
ｄｚ：前記第４及び第５レンズ間の遮光絞りと前記第３及び第４レンズ間の遮光絞りとの間隔
【請求項４】
条件式（３）を満たすことを特徴とする請求項１から３までのいずれか一項に記載の撮像レンズ。
０．０３＜ｅｔ６／ｆ＜０．１０    …    （３）
ｅｔ６：前記第３レンズの像側面の有効径位置と前記第４レンズの物体側面の有効径位置との光軸方向の間隔
ｆ：撮像レンズ全系の焦点距離
【請求項５】
条件式（４）を満たすことを特徴とする請求項１から４までのいずれか一項に記載の撮像レンズ。
４０＜θＳ７＜８０    …    （４）
ただし、
θＳ７:前記第４レンズの物体側面の有効径の７割以上における最大面角度(°)
【請求項６】
条件式（５）を満たすことを特徴とする請求項１から５までのいずれか一項に記載の撮像レンズ。
｜Ｓａｇ６｜／ｆ＜０．１０    …    （５）
ただし、
｜Ｓａｇ６｜：前記第３レンズの像側面のサグ量最大値
ｆ：撮像レンズ全系の焦点距離
【請求項７】
条件式（６）を満たすことを特徴とする請求項１から６までのいずれか一項に記載の撮像レンズ。
−１５＜θＳ６＜１５    …    （６）
ただし、
θＳ６:前記第３レンズの像側面の有効径の９割以上における最大面角度（°）
【請求項８】
条件式（７）を満たすことを特徴とする請求項１から７までのいずれか一項に記載の撮像レンズ。
０．６５＜Ｓａｇ７／ｄ７＜１．５０    …    （７）
ただし、
Ｓａｇ７：前記第４レンズの物体側面のサグ量最大値
ｄ７：前記第４レンズの中心厚
【請求項９】
条件式（８）を満たすことを特徴とする請求項１から８までのいずれか一項に記載の撮像レンズ。
０．４５＜θｒ６／θｒ４＜１．００    …    （８）
ただし、
θｒ４：前記第２レンズの像側面における対角像高光束の光軸から遠い側の周縁光線の屈折角
θｒ６：前記第３レンズの像側面における対角像高光束の光軸から遠い側の周縁光線の屈折角
【請求項１０】
条件式（９）を満たすことを特徴とする請求項１から９までのいずれか一項に記載の撮像レンズ。
０．０５＜ｅｔ８／ｆ＜０．２０    …    （９）
ただし、
ｅｔ８：前記第４レンズの像側面の有効径位置と前記第５レンズの物体側面の有効径位置との光軸方向の間隔
ｆ：撮像レンズ全系の焦点距離
【請求項１１】
前記第５レンズは負レンズであり、条件式（１０）を満たすことを特徴とする請求項１から１０までのいずれか一項に記載の撮像レンズ。
４５＜ｖ５＜７０    …    （１０）
ただし、
ｖ５：前記第５レンズのアッベ数
【請求項１２】
条件式（１１）を満たすことを特徴とする請求項１から１１までのいずれか一項に記載の撮像レンズ。
１．４５＜ｎ１＜１．６５    …    （１１）
ただし、
ｎ１：前記第１レンズの屈折率
【請求項１３】
前記第２レンズは、負レンズであることを特徴とする請求項１から１２までのいずれか一項に記載の撮像レンズ。
【請求項１４】
前記第２レンズは、物体側面の曲率半径の絶対値よりも像側面の曲率半径の絶対値の方が小さいことを特徴とする請求項１から１３までのいずれか一項に記載の撮像レンズ。
【請求項１５】
前記第２レンズの像側面は、有効径の７割以上の一部もしくは全体が負のパワーを持つことを特徴とする請求項１から１４までのいずれか一項に記載の撮像レンズ。
【請求項１６】
条件式（１２）を満たすことを特徴とする請求項１３に記載の撮像レンズ。
１５＜ｖ２＜３０    …    （１２）
ただし、
ｖ２：前記第２レンズのアッベ数
【請求項１７】
条件式（１３）を満たすことを特徴とする請求項１から１６までのいずれか一項に記載の撮像レンズ。
−０．２＜ｆ／ｆ４＜２．０    …    （１３）
ただし、
ｆ４：前記第４レンズの焦点距離
【請求項１８】
条件式（１４）を満たすことを特徴とする請求項１から１７までのいずれか一項に記載の撮像レンズ。
１．１＜ｆ１２３／ｆ＜１．７    …    （１４）
ただし、
ｆ１２３：前記第１レンズから前記第３レンズまでの合成焦点距離
【請求項１９】
実質的にパワーを持たないレンズをさらに有することを特徴とする請求項１から１８までのいずれか一項に記載の撮像レンズ。
【請求項２０】
請求項１から１９までのいずれか一項に記載の撮像レンズと、撮像素子とを備えることを特徴とする撮像装置。
【請求項２１】
請求項２０に記載の撮像装置を備えることを特徴とする携帯端末。
【発明の詳細な説明】
【技術分野】
【０００１】
本発明は、迷光を抑えた小型の撮像レンズ、撮像装置及び携帯端末に関し、特に本発明は５枚のレンズを有する、低背に好適な撮像レンズ、撮像装置及び携帯端末に関する。
【背景技術】
【０００２】
近年、ＣＣＤ（Charged Coupled Device）型イメージセンサーあるいはＣＭＯＳ（Complementary Metal Oxide Semiconductor）型イメージセンサー等の撮像素子を用いた撮像素子の高性能化及び小型化に伴い、撮像装置を備えた携帯電話や携帯情報端末が普及しつつある。さらに最近では、上記のような携帯情報端末に搭載される表示素子の大型化及び高精細化を受け、撮像素子も高画素化が求められており、これらの撮像装置に搭載される撮像レンズには、さらなる高性能化への要求が高まっている。このような用途の撮像レンズとして、３枚あるいは４枚構成のレンズに比べ高性能化が可能であることから、５枚構成の撮像レンズが提案されている（例えば特許文献１参照）。一方で、携帯情報端末の薄型化も求められており、撮像装置に搭載される撮像レンズの低背化への要求も高まっており、高性能化のためにレンズ枚数を増やしつつも同等もしくはさらなる低背化が必要とされている。しかしながら、低背化を進めると、光が光軸方向に進む距離が短くなるが光軸垂直方向へ進む距離は変わらないため、レンズ内において光線が光軸に対し大きな角度を持つようになる。光がレンズの有効領域以外へ入射しやすくなり、結果として迷光が発生しやすくなってしまう。
【０００３】
この迷光の対策のため、開口絞りとは別に遮光絞りを持った５枚構成の撮像レンズとして、物体側より順に正の屈折力を有する第１レンズと、第２レンズと、第３レンズと、第４レンズと、少なくとも片面が変曲点を持った非球面である第５レンズとで構成され、第１レンズから第３レンズまでの間に固定された遮光絞りと、第３レンズから第５レンズまでの間に固定された遮光絞りとを備える撮像レンズが開示されている（特許文献２参照）。
【０００４】
しかしながら、上記特許文献２に記載の撮像レンズは、第３レンズの像側面の形状が変曲点の無い凸面に近く、低背化する場合に周辺像高に結像する光束の周縁光線の発散を第２レンズの凹面のみに頼ることとなり、強い屈折のため大きな収差が発生してしまい、高性能化が難しくなる。
【先行技術文献】
【特許文献】
【０００５】
【特許文献１】国際公開２０１０/０２４１９８号
【特許文献２】中国実用新案公告第２０２３３０８４９号明細書
【発明の概要】
【０００６】
本発明は、このような問題点に鑑みてなされたものであり、従来タイプより小型でありながらも、迷光が少なく、諸収差が良好に補正された、５枚構成の撮像レンズを提供することを目的とする。
【０００７】
ここで、小型の撮像レンズの尺度であるが、本発明では下式を満たすレベルの小型化を目指している。この範囲を満たすことで、撮像装置全体の小型化が可能となる。
Ｌ／２Ｙ＜０．９０    …    （１５）
ただし、
Ｌ：撮像レンズ全系の最も物体側のレンズ面から像側焦点までの光軸上の距離
２Ｙ：撮像素子の撮像面対角線長（撮像素子の矩形実効画素領域の対角線長）
ここで、像側焦点とは撮像レンズに光軸と平行な平行光線が入射した場合の像点をいう。なお、撮像レンズの最も像側の面と像側焦点位置との間に、光学的ローパスフィルター、赤外線カットフィルター、又は撮像素子パッケージのシールガラス等の平行平板が配置される場合には、平行平板部分は空気換算距離としたうえで上記Ｌの値を計算するものとする。
【０００８】
なお、値Ｌ／２Ｙについては、より望ましくは、下式の範囲がよい。
Ｌ／２Ｙ＜０．７８    …    （１５'）
【０００９】
上記目的を達成するため、本発明に係る撮像レンズは、物体側から順に、物体側に凸面を向けた正の第１レンズと、第２レンズと、第３レンズと、第４レンズと、像側に凹面を向けた第５レンズとからなり、第５レンズの像側面は、非球面で有効径内に変曲点を持ち、第２レンズ及び第３レンズの少なくとも一方が負レンズであり、開口絞りは、第３レンズより物体側にあり、第３レンズと第４レンズとの間、及び、第４レンズと第５レンズとの間に遮光絞りを有し、第３レンズの像側面は、変曲点を持ち、有効径の７割以上の一部もしくは全体が負のパワーを持つ。
【００１０】
本発明に係る撮像レンズでは、第１レンズが物体側に凸面を向けることで、全系の主点位置が物体側に寄るため、光学全長の短縮に有利になる。また、第５レンズの像側面を凹面とすることで、バックフォーカスを伸ばすことができるため、ＡＦ機構などを配置するのに必要な所望のバックフォーカスを確保することが可能となる。さらに、第５レンズの像側面を有効径内に変曲点を持った非球面とすることで、周辺像高の光線が像面へ入射する際の入射角を小さく抑えることが可能になるため、撮像素子を用いた場合のセンサの受光効率を向上させることができる。開口絞りを第３レンズよりも物体側に配置することで、射出瞳を像面から遠ざけることができるため、センサー入射角を小さく抑えることができる。
本発明のように５枚のレンズを有する撮像レンズを低背化するには、５枚レンズのうち物体側のレンズに正のパワーを集めることで全系の主点位置を物体側に寄せ、さらに各レンズ間の間隔を詰めてレンズの占める領域を小さくすることが必要である。加えて大口径化すると、第１レンズの物体側の凸面で大きな球面収差が発生してしまうため、第２レンズ以降のレンズで球面収差を補正する必要がある。その場合、軸上光線高さの高い負レンズの方が効果的に球面収差を補正できるため、物体側に近く軸上光線高さの高い第２レンズ又は第３レンズの少なくとも一方を負レンズにすることで効果的に球面収差を補正することができる。しかし、低背化していくと最大画角よりも大きな画角で撮像レンズに入射する光線は、前記負レンズ通過後に光軸に対して大きな角度を持っているため、第４レンズや第５レンズの有効径外に入射し、迷光が発生しやすくなってしまう。
そこで、第１の撮像レンズでは、第３及び第４レンズ間と第４及び第５レンズ間とに遮光絞りを配置することで、迷光を回避することができる。また、第３レンズの像側面が有効径位置で像側に傾くことで、最大像高に結像する光線束の周縁光線が第３レンズの像側面で跳ね上げられるため、第３レンズの通過後の光線に光軸に対して大きな角度を持たせることが容易になり、低背化に有利になる。
また、第３レンズの像側面が変曲点を持ち、有効径の７割以上の一部もしくは全体が負のパワーを持っている。負のパワーとは、平行光線が入射したときに、光軸から遠ざかる方向に光線が屈折されることをいう。有効径内の一部において平行光線が光軸から遠ざかる方向に屈折される場合、その面の一部が負のパワーを持つという。このように、第３レンズの有効径の７割以上の一部もしくは全体が負のパワーを持っていることで、最大像高に結像する光線束の周縁光線が第３レンズの像側面で跳ね上げられるため、第３レンズの通過後の光線に光軸に対して大きな角度を持たせることが容易になるため、低背化に有利になる。
【００１１】
ここで、第１レンズの物体側面又は第５レンズの像側面については、有効径５割までの形状をＲの項のみで最小二乗法によりフィッティングしたときに、曲率中心が空気側なら凹、媒質側なら凸と定義する。また、この明細書のみに関することであるが、光軸近傍、光軸周辺ということで特に断らない限り、上記定義が適用される。
【００１２】
本発明の別の側面では、上記撮像レンズにおいて、第４レンズの物体側面は非球面形状を有し、条件式（１）
０．０１５＜ＡＳ７／ｆ＜０．０７    …    （１）
ただし、
ＡＳ７：第４レンズの物体側面の非球面形状と、第４レンズの有効径位置及び中心点を結ぶ球面形状との最大乖離量（ｍｍ）
ｆ：撮像レンズ全系の焦点距離
を満たす。
【００１３】
第４レンズの物体側面の周辺部は、第３レンズで屈折し光軸に対して大きな角度を持った周辺像高に結像する光線に対し、垂直に近い面角度とすることで光線の屈折角を小さく抑えることができ、コマ収差などの発生を抑えることができる。しかし、球面形状に近い形状のまま周辺部の面角度を光線に垂直に近づけると、面のサグ量が大きくなってしまい、光学全長に占める第４レンズの領域が大きくなってしまうため、低背化の妨げとなる。第４レンズの物体側面が非球面形状を有し、かつ値ＡＳ７／ｆが条件式（１）の下限を上回ることで、球面形状から乖離した形状をとることができるため、周辺部の面角度を光線に垂直に近づけた場合でも、面のサグ量を小さい形状とすることができ、低背化に有利になる。一方、値ＡＳ７／ｆが条件式（１）の上限を下回ることで、球面形状からの乖離が大きくなり過ぎて、レンズの成形性が損なわれるのを防ぐことができる。
【００１４】
なお、値ＡＳ７／ｆについては、より望ましくは下式の範囲とする。
０．０２＜ＡＳ７／ｆ＜０．０５    …    （１'）
【００１５】
本発明のさらに別の側面では、条件式（２）
０．７５＜ｄΦ／ｄｚ＜２．５    …    （２）
ｄΦ：第４及び第５レンズ間の遮光絞りの直径と第３及び第４レンズ間の遮光絞りの直径との差
ｄｚ：第４及び第５レンズ間の遮光絞りと第３及び第４レンズ間の遮光絞りとの間隔
を満たす。
【００１６】
第３及び第４レンズ間の遮光絞りＩと第４及び第５レンズ間の遮光絞りＩＩとを、条件式（２）を満たすようにすることで、迷光を回避することができる。条件式（２）の値ｄΦ／ｄｚが下限を上回ることで、第４及び第５レンズ間の遮光絞りＩＩの径に対し第３及び第４レンズ間の遮光絞りＩの径が小さくなり、第３レンズから射出した光軸に対し大きな角度を持った光線に対しても、第４レンズのフランジ部を充分遮光することができるため、第４レンズのフランジ部への光線入射に起因する迷光の発生を防ぐことができる。一方、条件式（２）の値ｄΦ／ｄｚが上限を下回ることで、第３及び第４レンズ間の遮光絞りＩの径に対し、第４及び第５レンズ間の遮光絞りＩＩの径が大きくなり過ぎないため、第５レンズのフランジ部を充分遮光することができ、第５レンズのフランジ部への光線入射に起因する迷光の発生を防ぐことができる。
なお、値ｄΦ／ｄｚについては、より望ましくは下式の範囲とする。
０．９０＜ｄΦ／ｄｚ＜２．０    …    （２'）
【００１７】
本発明の別の側面では、条件式（３）
０．０３＜ｅｔ６／ｆ＜０．１０    …    （３）
ｅｔ６：第３レンズ像側面の有効径位置と第４レンズの物体側面の有効径位置との光軸方向の間隔
ｆ：撮像レンズ全系の焦点距離
を満たす。
【００１８】
条件式（３）の値ｅｔ６／ｆが下限を上回ることで、第３レンズと第４レンズとの周辺に遮光絞りＩを入れる間隔を確保することができる。一方、値ｅｔ６／ｆが条件式（３）の上限を下回ることで、間隔が広がり過ぎることによって、低背化の妨げとなることを防ぐことができる。
なお、値ｅｔ６／ｆについては、より望ましくは下式の範囲とする。
０．０５＜ｅｔ６／ｆ＜０．０８    …    （３'）
【００１９】
本発明のさらに別の側面では、条件式（４）
４０＜θＳ７＜８０    …    （４）
ただし、
θＳ７:第４レンズの物体側面の有効径の７割以上における最大面角度(°)
を満たす。
【００２０】
条件式（４）の値θＳ７が下限を上回ることで、第３レンズで屈折し光軸に対し大きな角度を持った光線に対し、垂直に近い面角度とすることで屈折角を小さく抑えることができるため、コマ収差などの発生を抑えることができる。一方、値θＳ７が条件式（４）の上限を下回ることで、面角度が大きくなり過ぎることによって、成形性を損なうことを防ぐことができる。
なお、値θＳ７については、より望ましくは下式の範囲とする。
５０＜θＳ７＜７５    …    （４'）
【００２１】
本発明のさらに別の側面では、条件式（５）
｜Ｓａｇ６｜／ｆ＜０．１０    …    （５）
ただし、
｜Ｓａｇ６｜：第３レンズの像側面のサグ量最大値
ｆ：撮像レンズ全系の焦点距離
を満たす。
【００２２】
条件式（５）の範囲を満たすように値｜Ｓａｇ６｜／ｆを設定することで、第３レンズの像側面のサグ量が小さくなるため、レンズ全長において第３レンズが占める光軸方向に対する領域を小さくすることができるため、低背化に有利になる。
なお、値｜Ｓａｇ６｜／ｆについては、より望ましくは下式の範囲とする。
｜Ｓａｇ６｜／ｆ＜０．０５    …    （５'）
【００２３】
本発明のさらに別の側面では、条件式（６）
−１５＜θＳ６＜１５    …    （６）
ただし、
θＳ６:第３レンズの像側面の有効径の９割以上における最大面角度（°）
を満たす。
【００２４】
条件式（６）の範囲を満たすように値θＳ６を設定することで、周辺像高に結像する光線束の周縁光線を発散するように屈折させるできるため、第３レンズ通過後に光軸に対し大きな角度を持たせることが容易になり低背化に有利になる。
なお、値θＳ６については、より望ましくは下式の範囲とする。
−１０＜θＳ６＜１０    …    （６'）
【００２５】
本発明のさらに別の側面では、条件式（７）
０．６５＜Ｓａｇ７／ｄ７＜１．５０    …    （７）
ただし、
Ｓａｇ７：第４レンズの物体側面のサグ量最大値
ｄ７：第４レンズの中心厚
を満たす。
【００２６】
条件式（７）の値Ｓａｇ７／ｄ７が下限を上回ることで、撮像レンズ内で第４レンズの物体側面が占める光軸方向の領域が大きくなるため、第４レンズの物体側面の形状自由度が大きくなり、第３レンズ通過後の光線に対し、収差が発生しにくい形状をとることができる。一方、値Ｓａｇ７／ｄ７が条件式（７）の上限を下回ることで、第４レンズの物体側面のサグ量が大きくなり過ぎず、低背化に効果的となる。
なお、値Ｓａｇ７／ｄ７については、より望ましくは下式の範囲とする。
０．７５＜Ｓａｇ７／ｄ７＜１．３０    …    （７'）
【００２７】
本発明のさらに別の側面では、条件式（８）
０．４５＜θｒ６／θｒ４＜１．００    …    （８）
ただし、
θｒ４：第２レンズの像側面における対角像高光束の光軸から遠い側の周縁光線の屈折角
θｒ６：第３レンズの像側面における対角像高光束の光軸から遠い側の周縁光線の屈折角
を満たす。
【００２８】
条件式（８）の値θｒ６／θｒ４が下限を上回ることで、第２レンズの像側面と第３レンズの像側面とで、光線の跳ね上げを分担することができるため、収差の発生を小さく抑えることができる。一方、条件式（８）の値θｒ６／θｒ４が上限を下回ることで、第３レンズでの光線の跳ね上げが強くなり過ぎることよって収差が発生するのを防ぐことができる。
なお、値θｒ６／θｒ４については、より望ましくは下式の範囲とする。
０．５０＜θｒ６／θｒ４＜０．９０    …    （８'）
【００２９】
本発明のさらに別の側面では、条件式（９）
０．０５＜ｅｔ８／ｆ＜０．２０    …    （９）
ただし、
ｅｔ８：第４レンズ像側面の有効径位置と第５レンズの物体側面の有効径位置との光軸方向の間隔
ｆ：撮像レンズ全系の焦点距離
を満たす。
【００３０】
条件式（９）の値ｅｔ８／ｆが下限を上回ることで、第４レンズと第５レンズとの間に遮光絞りＩＩを入れる隙間を確保でき、条件式（９）の値ｅｔ８／ｆが上限を下回ることで、第４レンズと第５レンズとの間隔が開き過ぎ低背化の妨げになるのを防ぐことができる。
なお、値ｅｔ８／ｆについては、より望ましくは下式の範囲とする。
０．０７＜ｅｔ８／ｆ＜０．１５    …    （９'）
【００３１】
本発明のさらに別の側面では、第５レンズは負レンズであり、条件式（１０）
４５＜ｖ５＜７０    …    （１０）
ただし、
ｖ５：第５レンズのアッベ数
を満たす。
【００３２】
第５レンズを負レンズとすることで、低背化しつつもある程度のバックフォーカスを確保することができるため、レンズにゴミやキズなどが付いた場合の影響を小さくすることができる。また、第５レンズの像側面に変曲点があることによってその周辺部は正のパワーを持っているが、第５レンズのアッベ数ｖ５を条件式（１０）の下限を上回るように設定することで、第５レンズの周辺部にて発生する色収差を抑えることができるため、倍率色収差を小さくすることができ、高性能化が可能になる。一方、条件式（１０）のアッベ数ｖ５が上限を下回ることで、負レンズであるため軸上色収差の発生も抑えることができる。
なお、値ｖ５については、より望ましくは下式の範囲とする。
５０＜ｖ５＜６０    …    （１０'）
【００３３】
本発明のさらに別の側面では、条件式（１１）
１．４５＜ｎ１＜１．６５    …    （１１）
ただし、
ｎ１：第１レンズの屈折率
を満たす。
【００３４】
低背化を進めると、全系の主点位置を物体側に寄せることになるため、第１レンズの物体側面の凸面の曲率半径が小さくなる。そのため、入射瞳の周縁に入射する光は、大きな球面収差を持ってしまう。特に大口径化した場合、顕著に球面収差が大きくなり、高性能化の妨げになる。そこで、第１レンズの屈折率ｎ１が条件式（１１）の下限を上回るようにすることで、面角度を緩くしても同じ焦点距離とすることができるため、物体側の強い凸面で大きな球面収差の発生を防ぐことができる。また、逆に第１レンズの屈折率が高くなると第１レンズの前側主点と後側主点との間隔が開いてくるため、焦点距離に関連する後側主点が像側に寄ってしまい、焦点距離が短くなり広角化してしまう。第１レンズの後側主点を物体側に寄せるため、第１レンズ自体を物体側に寄せると、光学全長が大きくなってしまうため、低背化に不利になる。物体側の凸面を強くしメニスカス形状に近づけていくことで、光学全長を維持したまま後側主点を物体側に寄せることができるが、そうするとより大きな球面収差が発生してしまう。そこで、第１レンズの屈折率ｎ１が条件式（１１）の上限を下回るようにすることで、低背化しつつも物体側の凸面が強くなり過ぎることがなく、第１レンズで発生する球面収差を小さく抑えることができる。
なお、値ｎ１については、より望ましくは下式の範囲とする。
１．５０＜ｎ１＜１．６０    …    （１１'）
【００３５】
本発明のさらに別の側面では、第２レンズは負レンズである。このように、第２レンズを負レンズとすることで、第１レンズで発生する色収差や球面収差を、光線高さの高い第２レンズで補正することになるため、効果的に補正ができ高性能化に有利になる。
【００３６】
本発明のさらに別の側面では、第２レンズは物体側面の曲率半径の絶対値よりも像側面の曲率半径の絶対値の方が小さい。第２レンズの物体側面への光線入射角を小さく抑え、球面収差の補正を適切にすることができ、高性能を保つことができる。
【００３７】
本発明のさらに別の側面では、第２レンズの像側面は有効径の７割以上の一部もしくは全体が負のパワーを持つ。このように、第２レンズの像側面の有効径の７割以上の一部もしくは全体が負のパワーを持っていることで、周辺像高へ結像する光線束の周縁光線を発散させるように屈折させやすくなるため、低背化や倍率色収差の補正に有利になる。
【００３８】
本発明のさらに別の側面では、条件式（１２）
１５＜ｖ２＜３０    …    （１２）
ただし、
ｖ２：第２レンズのアッベ数
を満たす。
【００３９】
第２レンズのアッベ数ｖ２が条件式（１２）の上限を下回ることで、第１レンズで発生する軸上色収差と倍率色収差とを補正することができる。一方、アッベ数ｖ２が条件式（１２）の下限を上回ることで、色収差の過剰補正を防ぐことができる。
なお、値ｖ２については、より望ましくは下式の範囲とする。
２０＜ｖ２＜２５    …    （１２'）
【００４０】
本発明のさらに別の側面では、条件式（１３）
−０．２＜ｆ／ｆ４＜２．０    …    （１３）
ただし、
ｆ４：第４レンズの焦点距離
ｆ：撮像レンズ全系の焦点距離
を満たす。
【００４１】
第４レンズの焦点距離に関する値ｆ／ｆ４が条件式（１３）の上限を下回ることで、第４レンズの正のパワーが強くなり過ぎることにより、全系の焦点距離が短くなってしまい、必要以上に広角化するのを防ぐことができる。また、第４レンズの焦点距離に関する値ｆ／ｆ４が条件式（１３）の下限を上回ることで、第４レンズが強い負のパワーを持って全系の焦点距離が長くなり、望遠化してしまうのを防ぐことができる。
【００４２】
本発明のさらに別の側面では、条件式（１４）
１．１＜ｆ１２３／ｆ＜１．７    …    （１４）
ただし、
ｆ１２３：第１レンズから第３レンズまでの合成焦点距離
ｆ：撮像レンズ全系の焦点距離
を満たす。
【００４３】
第１レンズから第３レンズの合成焦点距離に関する値ｆ１２３／ｆを条件式（１４）の範囲とすることで、第１レンズから第３レンズまでの正のパワーが適切にできるため、正のパワーが強くなり過ぎることによる収差の発生を防ぎつつ、光学全長を小さくすることができる。
【００４４】
本発明のさらに別の側面では、実質的にパワーを持たないレンズをさらに有する。
【００４５】
上記目的を達成するため、本発明に係る撮像装置は、上述の撮像レンズと、撮像素子とを備える。本発明の撮像レンズを用いることで、迷光が少なく諸収差が良好に補正された小型の撮像装置を得ることができる。
【００４６】
上記目的を達成するため、本発明に係る携帯端末は、上述の撮像装置を備える。
【図面の簡単な説明】
【００４７】
【図１】本発明の一実施形態の撮像レンズを備える撮像装置を説明する図である。
【図２】レンズや遮光絞りの状態を説明する部分拡大断面図である。
【図３】図１の撮像装置を備える携帯端末を説明するブロック図である。
【図４】（Ａ）及び（Ｂ）は、それぞれ携帯端末の表面側及び裏面側の斜視図である。
【図５】第４レンズの物体側面を具体的に説明する図である。
【図６】実施例１の撮像レンズの断面図である
【図７】（Ａ）〜（Ｅ）は、実施例１の撮像レンズの収差図である。
【図８】実施例２の撮像レンズの断面図である。
【図９】（Ａ）〜（Ｅ）は、実施例２の撮像レンズの収差図である。
【図１０】実施例３の撮像レンズの断面図である。
【図１１】（Ａ）〜（Ｅ）は、実施例３の撮像レンズの収差図である。
【図１２】実施例４の撮像レンズの断面図である。
【図１３】（Ａ）〜（Ｅ）は、実施例４の撮像レンズの収差図である。
【図１４】実施例５の撮像レンズの断面図である
【図１５】（Ａ）〜（Ｅ）は、実施例５の撮像レンズの収差図である。
【図１６】実施例６の撮像レンズの断面図である
【図１７】（Ａ）〜（Ｅ）は、実施例６の撮像レンズの収差図である。
【図１８】実施例７の撮像レンズの断面図である。
【図１９】（Ａ）〜（Ｅ）は、実施例７の撮像レンズの収差図である。
【図２０】実施例８の撮像レンズの断面図である。
【図２１】（Ａ）〜（Ｅ）は、実施例８の撮像レンズの収差図である。
【図２２】実施例９の撮像レンズの断面図である。
【図２３】（Ａ）〜（Ｅ）は、実施例９の撮像レンズの収差図である。
【発明を実施するための形態】
【００４８】
以下、図１等を参照して、本発明の一実施形態である撮像レンズについて説明する。なお、図１で例示した撮像レンズ１０は、後述する実施例１の撮像レンズ１５と同一の構成となっている。
【００４９】
図１は、本発明の一実施形態である撮像レンズを備えるカメラモジュールを説明する断面図である。
【００５０】
カメラモジュール５０は、被写体像を形成する撮像レンズ１０と、撮像レンズ１０によって形成された被写体像を検出する撮像素子５１と、この撮像素子５１を背後から保持するとともに配線等を有する配線基板５２と、撮像レンズ１０等を保持するとともに物体側からの光束を入射させる開口部ＯＰを有する鏡筒部５４とを備える。撮像レンズ１０は、被写体像を撮像素子５１の像面又は撮像面（被投影面）Ｉに結像させる機能を有する。このカメラモジュール５０は、後述する撮像装置に組み込まれて使用されるが、単独でも撮像装置と呼ぶものとする。
【００５１】
撮像レンズ１０は、物体側から順に、開口絞りＡＳと、第１レンズＬ１と、第２レンズＬ２と、第３レンズＬ３と、第４レンズＬ４と、第５レンズＬ５とを備える。撮像レンズ１０は、小型であり、その尺度として、以下の式（１５）を満たすレベルの小型化を目指している。
Ｌ／２Ｙ＜０．９０    …    （１５）
ここで、Ｌは撮像レンズ１０全系の最も物体側のレンズ面Ｓ１１から像側焦点までの光軸ＡＸ上の距離であり、２Ｙは撮像素子５１の撮像面対角線長（撮像素子５１の矩形実効画素領域の対角線長）であり、像側焦点とは撮像レンズ１０に光軸ＡＸと平行な平行光線が入射した場合の像点をいう。この範囲を満たすことで、カメラモジュール５０全体の小型軽量化が可能となる。
【００５２】
なお、撮像レンズ１０の最も像側のレンズ面Ｓ５２と像側焦点位置との間に、光学的ローパスフィルター、赤外線カットフィルター、又は撮像素子パッケージのシールガラス等の平行平板Ｆが配置される場合には、平行平板Ｆ部分は空気換算距離としたうえで上記Ｌの値を計算するものとする。また、より望ましくは下式の範囲とする。
Ｌ／２Ｙ＜０．７８    …    （１５'）
【００５３】
撮像素子５１は、固体撮像素子からなるセンサーチップである。撮像素子５１の光電変換部５１ａは、ＣＣＤ（電荷結合素子）やＣＭＯＳ（相補型金属酸化物半導体）からなり、入射光をＲＧＢ毎に光電変換し、そのアナログ信号を出力する。受光部としての光電変換部５１ａの表面は、像面又は撮像面（被投影面）Ｉとなっている。
【００５４】
配線基板５２は、撮像素子５１を他の部材（例えば鏡筒部５４）に対してアライメントして固定する役割を有する。配線基板５２は、外部回路から撮像素子５１や駆動機構５５ａを駆動するための電圧や信号の供給を受けたり、また、検出信号を上記外部回路へ出力したりすることを可能としている。
【００５５】
撮像素子５１の撮像レンズ１０側には、不図示のホルダー部材によって、平行平板Ｆが撮像素子５１等を覆うように配置・固定されている。
【００５６】
鏡筒部５４は、撮像レンズ１０を収納し保持している。鏡筒部５４は、撮像レンズ１０を構成するレンズＬ１〜Ｌ５のうちいずれか１つ以上のレンズを光軸ＡＸに沿って移動させることにより、撮像レンズ１０の合焦の動作を可能にするため、例えば駆動機構５５ａを有している。駆動機構５５ａは、例えばボイスコイルモーターとガイドとを備え、特定のレンズを光軸ＡＸに沿って往復移動させる。
【００５７】
図２等を参照して、鏡筒部５４内に保持される撮像レンズ１０の状態を説明する。撮像レンズ１０を構成する第１〜第５レンズＬ１〜Ｌ５は、支持用のフランジ部３９をそれぞれ有しており、フランジ部３９を介して隣接するレンズと積層され、鏡筒部分５４ａ内に保持されている。これらのレンズＬ１〜Ｌ５の間には、フランジ部３９に挟まれて第１〜第４遮光絞りＦＳ１〜ＦＳ４が配置され、迷光の発生を防止している。第１〜第４遮光絞りＦＳ１〜ＦＳ４は、例えば金属の薄板で形成される。鏡筒部分５４ａの物体側には、レンズＬ１の有効径の周囲を覆うような開口絞りＡＳが形成されている。
【００５８】
次に、図３、４（Ａ）及び４（Ｂ）を参照して、図１に例示されるカメラモジュール５０を搭載した携帯電話機その他の携帯端末３００の一例について説明する。
【００５９】
携帯端末３００は、スマートフォン型の携帯通信端末であり、カメラモジュール５０を有する撮像装置１００と、各部を統括的に制御するとともに各処理に応じたプログラムを実行する制御部（ＣＰＵ）３１０と、通信に関連するデータ、撮像した映像等を表示するとともにユーザーの操作を受け付けるタッチパネルである表示操作部３２０と、電源スイッチ等を含む操作部３３０と、アンテナ３４１を介して外部サーバー等との間の各種情報通信を実現するための無線通信部３４０と、携帯端末３００のシステムプログラムや各種処理プログラム及び端末ＩＤ等の必要な諸データを記憶している記憶部（ＲＯＭ）３６０と、制御部３１０によって実行される各種処理プログラムやデータ、処理データ、もしくは撮像装置１００による撮像データ等を一時的に格納する作業領域として用いられる一時記憶部（ＲＡＭ）３７０とを備えている。
【００６０】
撮像装置１００は、既に説明したカメラモジュール５０のほかに、制御部１０３、光学系駆動部１０５、撮像素子駆動部１０７、画像メモリー１０８等を備える。
【００６１】
制御部１０３は、撮像装置１００の各部を制御する。制御部１０３は、ＣＰＵ（Central Processing Unit）、ＲＡＭ（Random Access Memory）、ＲＯＭ（Read Only Memory）等を含み、ＲＯＭから読み出されてＲＡＭに展開された各種プログラムとＣＰＵとの協働によって各種処理を実行する。なお、制御部３１０は、撮像装置１００の制御部１０３と通信可能に接続されており、制御信号や画像データの授受が可能になっている。
【００６２】
光学系駆動部１０５は、制御部１０３の制御により合焦、露出等を行う際に、撮像レンズ１０の第１及び第２駆動機構５５ａを動作させて撮像レンズ１０の状態を制御する。光学系駆動部１０５は、駆動機構５５ａを動作させて撮像レンズ１０中の特定のレンズを光軸ＡＸに沿って適宜移動させることにより、撮像レンズ１０に合焦動作を行わせる。
【００６３】
撮像素子駆動部１０７は、制御部１０３の制御により露出等を行う際に、撮像素子５１の動作を制御する。具体的には、撮像素子駆動部１０７は、タイミング信号に基づいて撮像素子５１を走査駆動させて制御する。また、撮像素子駆動部１０７は、撮像素子５１から出力された検出信号又は光電変換信号としてのアナログ信号をデジタルの画像データに変換する。さらに、撮像素子駆動部１０７は、撮像素子５１によって検出された画像信号に対して、歪み補正、色補正、圧縮等の各種画像処理を施すことができる。
【００６４】
画像メモリー１０８は、デジタル化された画像信号を撮像素子駆動部１０７から受け取って、読み出し及び書き込み可能な画像データとして記憶する。
【００６５】
ここで、上記撮像装置１００を含む携帯端末３００の撮影動作を説明する。携帯端末３００をカメラとして動作させるカメラモードに設定されると、被写体のモニタリング（スルー画像表示）と、画像撮影実行とが行われる。モニタリングにおいては、撮像レンズ１０を介して得られた被写体の像が、撮像素子５１の撮像面Ｉ（図１参照）に結像される。撮像素子５１は、撮像素子駆動部１０７によって走査駆動され、一定周期毎に結像した光像に対応する光電変換出力としてのアナログ信号を１画面分出力する。
【００６６】
このアナログ信号は、撮像素子５１に付属する回路においてＲＧＢの各原色成分毎に適宜ゲイン調整された後に、デジタルデータに変換される。そのデジタルデータは、画素補間処理及びＹ補正処理を含むカラープロセス処理が行われて、デジタル値の輝度信号Ｙ及び色差信号Ｃｂ，Ｃｒ（画像データ）が生成されて画像メモリー１０８に格納される。格納されたデジタルデータは、画像メモリー１０８から定期的に読み出されてそのビデオ信号が生成されて、制御部１０３及び制御部３１０を介して、表示操作部３２０に出力される。
【００６７】
この表示操作部３２０は、モニタリングにおいてはファインダーとして機能し、撮像画像をリアルタイムに表示することとなる。この状態で、随時、ユーザーが表示操作部３２０を介して行う操作入力に基づいて、光学系駆動部１０５の駆動により撮像レンズ１０の合焦、露出等が設定される。
【００６８】
このようなモニタリング状態において、ユーザーが表示操作部３２０を適宜操作することにより、静止画像データが撮影される。表示操作部３２０の操作内容に応じて、画像メモリー１０８に格納された１コマの画像データが読み出されて、撮像素子駆動部１０７により圧縮される。その圧縮された画像データは、制御部１０３及び制御部３１０を介して、例えばＲＡＭ３７０等に記録される。
【００６９】
なお、上述の撮像装置１００は、本発明に好適な撮像装置の一例であり、本発明は、これに限定されるものではない。
【００７０】
すなわち、カメラモジュール５０又は撮像レンズ１０を搭載した撮像装置は、スマートフォン型の携帯端末３００に内蔵されるものに限らず、携帯電話、ＰＨＳ（Personal Handyphone System）等に内蔵されるものであってもよく、ＰＤＡ（Personal Digital Assistant）、タブレットパソコン、モバイルパソコン、デジタルスチルカメラ、ビデオカメラ等に内蔵されるであってもよい。
【００７１】
以下、図１等に戻って、本発明の一実施形態である撮像レンズ１０について詳細に説明する。図１に示す撮像レンズ１０は、撮像素子５１の撮像面（被投影面）Ｉに被写体像を結像させるものであって、物体側から順に、物体側に凸面を向けた正の第１レンズＬ１と、光軸ＡＸ近傍で負の第２レンズＬ２と、第３レンズＬ３と、第４レンズＬ４と、像側に凹面を向けた負の第５レンズＬ５とを備える。上記撮像レンズ１０において、第５レンズＬ５の像側面Ｓ５２は、非球面で有効径内に変曲点Ｐを持つ。また、第２レンズＬ２は、物体側面Ｓ２１の曲率半径の絶対値よりも像側面Ｓ２２の曲率半径の絶対値の方が小さい。第２レンズＬ２の像側面Ｓ２２は、上端の有効径位置で像側に傾いている。第３レンズＬ３の像側面Ｓ３２は、非球面形状を有し、変曲点Ｐを持ち、上端の有効径位置で像側に傾いている。第４レンズＬ４の物体側面Ｓ４１は、非球面形状を有する。撮像レンズ１０は、第３レンズＬ３より物体側に開口絞りＡＳを有し、開口絞りＡＳは、図示の例では第１レンズＬ１より物体側に配置されている。撮像レンズ１０は、第３レンズＬ３と第４レンズＬ４との間に第３遮光絞りＦＳ３を有し、第４レンズＬ４と第５レンズＬ５との間に第４遮光絞りＦＳ４を有し、図示の例では第１レンズＬ１と第２レンズＬ２との間に第１遮光絞りＦＳ１を有し、第２レンズＬ２と第３レンズＬ３との間に第２遮光絞りＦＳ２を有する。なお、本実施形態において、第２レンズＬ２を負レンズとしたが、第３レンズＬ３を負レンズとしてもよいし、第２及び第３レンズＬ２，Ｌ３をともに負レンズとしてもよい。いずれの場合においても、第３レンズＬ３の有効径の７割以上の一部もしくは全体が負のパワーを持つ。
【００７２】
上記撮像レンズ１０によれば、第１レンズＬ１の物体側面Ｓ１１が凸であり、光学全長の短縮に有利になる。また、第２レンズＬ２に負レンズを配置することで、色収差の補正効果を高めることができる。さらに、第５レンズＬ５の像側面Ｓ５２を凹とすることで、ＡＦ機構などを配置するのに必要な所望のバックフォーカスを確保することが容易となる。さらに、第５レンズＬ５の像側面Ｓ５２を有効径内に変曲点Ｐを持った非球面とすることで、周辺像高の光線ＬＡが像面へ入射する際の入射角を小さく抑えることができ、撮像素子５１を用いた場合の撮像面Ｉにおける受光効率を向上させることができる。開口絞りＡＳを第３レンズＬ３よりも物体側（より望ましくは第２レンズＬ２よりも物体側）に配置することで、射出瞳を像面から遠ざけることができるため、撮像面Ｉへの入射角を小さく抑えることができる。
また、上記撮像レンズ１０では、第３及び第４レンズＬ３，Ｌ４間と第４及び第５レンズＬ４，Ｌ５間とに遮光絞りＦＳ３，ＦＳ４を配置すること等により、迷光を回避している。また、第３レンズＬ３の像側面Ｓ３２が点線と交差する有効径位置で像側に傾くことで、最大像高に結像する光線束の周縁光線が第３レンズＬ３の像側面Ｓ３２で跳ね上げられるため、第３レンズＬ３の通過後の光線に光軸ＡＸに対し大きな角度を持たせることが容易になり、低背化に有利になる。
【００７３】
本実施形態の撮像レンズ１０は、上記第３レンズの像側面の特徴に加えて、既に説明した条件式（１）
０．０１５＜ＡＳ７／ｆ＜０．０７    …    （１）
を満足する。ただし、値ＡＳ７は、第４レンズＬ４の物体側面Ｓ４１の非球面形状と第４レンズＬ４の物体側面Ｓ４１の有効径位置及び中心点を結ぶ球面形状ＳＰ（図５参照）との最大乖離量（ｍｍ）であり、値ｆは、撮像レンズ１０全系の焦点距離である。
なお、本実施形態の撮像レンズ１０は、より好ましくは、下記の条件式（１'）を満たす。
０．０２＜ＡＳ７／ｆ＜０．０５    …    （１'）
【００７４】
本実施形態の撮像レンズ１０は、上記第３レンズの像側面の特徴等に加えて、既に説明した条件式（２）
０．７５＜ｄΦ／ｄｚ＜２．５    …    （２）
を満足する。ただし、値ｄΦは、第４及び第５レンズＬ４，Ｌ５間の第４遮光絞りＦＳ４の直径（内径）と第３及び第４レンズＬ３，Ｌ４間の第３遮光絞りＦＳ３の直径（内径）との差であり、値ｄｚは、第４及び第５レンズＬ４，Ｌ５間の第４遮光絞りＦＳ４と第３及び第４レンズＬ３，Ｌ４間の第３遮光絞りＦＳ３との間隔である。
なお、本実施形態の撮像レンズ１０は、より好ましくは、下記の条件式（２'）を満たす。
０．９０＜ｄΦ／ｄｚ＜２．０    …    （２'）
【００７５】
本実施形態の撮像レンズ１０は、上記第３レンズの像側面の特徴等に加えて、既に説明した条件式（３）
０．０３＜ｅｔ６／ｆ＜０．１０    …    （３）
を満足する。ただし、値ｅｔ６は、第３レンズＬ３の像側面Ｓ３２の有効径位置と第４レンズＬ４の物体側面Ｓ４１の有効径位置との光軸ＡＸ方向の間隔である。
なお、本実施形態の撮像レンズ１０は、より好ましくは、下記の条件式（３'）を満たす。
０．０５＜ｅｔ６／ｆ＜０．０８    …    （３'）
【００７６】
本実施形態の撮像レンズ１０は、上記第３レンズの像側面の特徴等に加えて、既に説明した条件式（４）
４０＜θＳ７＜８０    …    （４）
を満足する。ただし、値θＳ７は、第４レンズＬ４の物体側面Ｓ４１の有効径の７割以上における最大面角度(°)である。
なお、本実施形態の撮像レンズ１０は、より好ましくは、下記の条件式（４'）を満たす。
５０＜θＳ７＜７５    …    （４'）
【００７７】
ここで、レンズの光学面に真空蒸着法にて反射防止膜を施す場合、面角度が大きい箇所において膜厚が薄く成膜されてしまう現象が一般に知られている。膜厚が薄くなると設計膜厚の場合に比べ、透過率波長特性が短波長側にシフトしてしまうため、反射防止の効果を狙った波長帯の長波長側の光の反射率が上がってしまう。従って、条件式（４）を満足するように、第４レンズＬ４の物体側面Ｓ４１の有効径における面角度が大きいと、前記現象が起こりレンズ周辺部において狙った透過率波長特性が得られない。そのため、第４レンズＬ４の物体側面Ｓ４１の反射防止膜のみ、撮像レンズ１０の他の光学面の反射防止膜とは異なる設計とする場合がある。例えば、第４レンズＬ４の物体側面Ｓ４１の反射防止膜は、光軸ＡＸと成す角度θが０度で入射する光の反射率が波長帯４２０〜７５０ｎｍの範囲内で１．５％以下となるように、厚さを設定し、その他の光学面の反射防止膜は光軸ＡＸと成す角度θが０度で入射する光の反射率が波長帯４２０〜６５０ｎｍの範囲内で１％以下となるような設計とする。
【００７８】
本実施形態の撮像レンズ１０は、上記第３レンズの像側面の特徴等に加えて、既に説明した条件式（５）
｜Ｓａｇ６｜／ｆ＜０．１０    …    （５）
を満足する。ただし、値｜Ｓａｇ６｜は、第３レンズＬ３の像側面Ｓ３２のサグ量最大値である。
なお、本実施形態の撮像レンズ１０は、より好ましくは、下記の条件式（５'）を満たす。
｜Ｓａｇ６｜／ｆ＜０．０５    …    （５'）
【００７９】
本実施形態の撮像レンズ１０は、上記第３レンズの像側面の特徴等に加えて、既に説明した条件式（６）
−１５＜θＳ６＜１５    …    （６）
を満足する。ただし、値θＳ６は、第３レンズＬ３の像側面Ｓ３２の有効径の９割以上における最大面角度（°）である。
なお、本実施形態の撮像レンズ１０は、より好ましくは、下記の条件式（６'）を満たす。
−１０＜θＳ６＜１０    …    （６'）
【００８０】
本実施形態の撮像レンズ１０は、上記第３レンズの像側面の特徴等に加えて、既に説明した条件式（７）
０．６５＜Ｓａｇ７／ｄ７＜１．５０    …    （７）
満足する。ただし、値Ｓａｇ７は、第４レンズＬ４の物体側面Ｓ４１のサグ量最大値であり、値ｄ７は、第４レンズＬ４の中心厚である。
なお、本実施形態の撮像レンズ１０は、より好ましくは、下記の条件式（７'）を満たす。
０．７５＜Ｓａｇ７／ｄ７＜１．３０    …    （７'）
【００８１】
本実施形態の撮像レンズ１０は、上記第３レンズの像側面の特徴等に加えて、既に説明した条件式（８）
０．４５＜θｒ６／θｒ４＜１．００    …    （８）
を満足する。ただし、値θｒ４は、第２レンズＬ２の像側面Ｓ２２における対角像高光束の光軸ＡＸから遠い側の周縁光線ＬＡ２の屈折角であり、値θｒ６は、第３レンズＬ３の像側面Ｓ３２における対角像高光束の光軸ＡＸから遠い側の周縁光線ＬＡ２の屈折角である。
なお、本実施形態の撮像レンズ１０は、より好ましくは、下記の条件式（８'）を満たす。
０．５０＜θｒ６／θｒ４＜０．９０    …    （８'）
【００８２】
本実施形態の撮像レンズ１０は、上記第３レンズの像側面の特徴等に加えて、既に説明した条件式（９）
０．０５＜ｅｔ８／ｆ＜０．２０    …    （９）
を満足する。ただし、値ｅｔ８は、第４レンズＬ４の像側面Ｓ４２の有効径位置と第５レンズＬ５の物体側面Ｓ５１の有効径位置との光軸ＡＸ方向の間隔である。
なお、本実施形態の撮像レンズ１０は、より好ましくは、下記の条件式（９'）を満たす。
０．０７＜ｅｔ８／ｆ＜０．１５    …    （９'）
【００８３】
本実施形態の撮像レンズ１０は、上記第３レンズの像側面の特徴等に加えて、既に説明した条件式（１０）
４５＜ｖ５＜７０    …    （１０）
を満足する。ただし、値ｖ５は、第５レンズＬ５のアッベ数である。
なお、本実施形態の撮像レンズ１０は、より好ましくは、下記の条件式（１０'）を満たす。
５０＜ｖ５＜６０    …    （１０'）
【００８４】
本実施形態の撮像レンズ１０は、上記第３レンズの像側面の特徴等に加えて、既に説明した条件式（１１）
１．４５＜ｎ１＜１．６５    …    （１１）
を満足する。ただし、値ｎ１は、第１レンズＬ１の屈折率である。
なお、本実施形態の撮像レンズ１０は、より好ましくは、下記の条件式（１１'）を満たす。
１．５０＜ｎ１＜１．６０    …    （１１'）
【００８５】
本実施形態の撮像レンズ１０は、上記第３レンズの像側面の特徴等に加えて、既に説明した条件式（１２）
１５＜ｖ２＜３０    …    （１２）
を満足する。ただし、値ｖ２は、第２レンズＬ２のアッベ数である。
なお、本実施形態の撮像レンズ１０は、より好ましくは、下記の条件式（１２'）を満たす。
２０＜ｖ２＜２５    …    （１２'）
【００８６】
本実施形態の撮像レンズ１０は、上記第３レンズの像側面の特徴等に加えて、既に説明した条件式（１３）
−０．２＜ｆ／ｆ４＜２．０    …    （１３）
を満足する。ただし、値ｆ４は、第４レンズＬ４の焦点距離である。
【００８７】
本実施形態の撮像レンズ１０は、上記第３レンズの像側面の特徴等に加えて、既に説明した条件式（１４）
１．１＜ｆ１２３／ｆ＜１．７    …    （１４）
を満足する。ただし、値ｆ１２３は、第１レンズＬ１から第３レンズＬ３までの合成焦点距離である。
【００８８】
本実施形態の撮像レンズ１０では、特に図示していないが、実質的にパワーを持たないレンズをさらに備えるものとできる。
【００８９】
〔実施例〕
以下、本発明に係る撮像レンズの具体的な実施例について説明する。各実施例において、ｒは曲率半径を意味し、ｄは軸上面間隔を意味し、ｎｄはレンズ材料のｄ線に対する屈折率を意味し、ｖｄはレンズ材料のアッベ数を意味し、「ｅｆｆ．ｄｉａ．」は有効径を意味する。また、各面番号の後に「＊」が記載されている面が非球面形状を有する面であり、非球面の形状は、面の頂点を原点とし、光軸ＡＸ方向にＸ軸をとり、光軸ＡＸと垂直方向の高さをｈとして以下の「数１」で表す。
【数１】
2014153577.tif 000003
ただし、
Ａｉ：ｉ次の非球面係数
Ｒ：曲率半径
Ｋ：円錐定数
さらに、各実施例において、「ＳＴＯ」は開口絞りＡＳを意味し、「ＦＳ」は遮光絞りＦＳ１〜ＦＳ４を意味する。「ＯＢＪ」は物体面であり、「ＩＭＧ」は撮像面又は像面である。
なお、各実施例の撮像レンズが前提とする使用基本波長は５８７．５６ｎｍであり、曲率半径等の面形状の単位はｍｍである。
【００９０】
〔実施例１〕
実施例１のレンズ面のデータを以下の表１に示す。
〔表１〕
面番号       r           d        nd     vd       eff. dia.
OBJ     INFINITY      1e+020                      
STO     INFINITY      0.0471                      1.304
2      INFINITY     -0.2200                      1.304
3*       1.0985      0.3720   1.54470  56.15     1.326
4*      69.6947      0.0470                      1.325
5 FS   INFINITY      0.0000                      1.324
6*       4.8325      0.1410   1.64200  21.99     1.321
7*       1.5004      0.2200                      1.319
8 FS   INFINITY      0.0840                      1.424
9*      34.0952      0.3780   1.54470  56.15     1.533
10*     -20.4924     -0.0300                      1.765
11 FS   INFINITY      0.3980                      2.040
12*     -14.0939      0.3960   1.54470  56.15     2.223
13*      -0.8148     -0.3300                      2.662
14 FS   INFINITY      0.5280                      3.200
15*      -4.9217      0.2370   1.54470  56.15     3.659
16*       0.8510      0.3800                      3.742
17      INFINITY      0.1100   1.51633  64.14     4.288
18      INFINITY      0.2950                      4.344
IMG     INFINITY      0.0000                      
【００９１】
実施例１のレンズ面の非球面係数を以下の表２に示す。
〔表２〕
第3面
K=7.84081e-002, A4=9.93435e-003, A6=5.02035e-002, A8=-1.94121e-002, 
A10=2.45608e-001, A12=3.53437e-001, A14=-1.31664e+000
第4面
K=-8.00000e+001, A4=7.85845e-002, A6=2.06196e-001, A8=4.53534e-002, 
A10=-1.38523e+000, A12=-1.49706e+000, A14=3.20190e+000
第6面
K=-1.53489e+001, A4=-7.82755e-002, A6=7.62915e-001, A8=-9.32301e-001, 
A10=-2.11519e+000, A12=-4.62527e-001, A14=5.13072e+000
第7面
K=-9.25340e+000, A3=-9.17026e-003, A4=2.41073e-001, A5=-2.55538e-003, 
A6=3.25291e-001, A8=-1.95887e-001, A10=-5.22547e-001, A12=-1.44253e+000, 
A14=6.01197e+000
第9面
K=7.96983e+001, A3=2.20811e-002, A4=-3.47438e-001, A5=6.77792e-003, 
A6=3.36281e-001, A8=-6.74153e-001, A10=6.01068e-002, A12=3.07337e+000, 
A14=-2.20975e+000
第10面
K=0.00000e+000, A3=-2.08223e-002, A4=-2.00238e-001, A5=-4.57015e-003, 
A6=-1.47530e-001, A8=7.91072e-002, A10=1.57376e-001, A12=-4.74293e-001, 
A14=7.31079e-001
第12面
K=6.56470e+001, A3=5.38590e-002, A4=-2.78523e-001, A5=2.38887e-001, 
A6=4.62587e-002, A8=-3.31257e-001, A10=2.03204e-001, A12=-1.31271e-001, 
A14=5.80562e-002
第13面
K=-6.13979e+000, A3=-9.78081e-002, A4=-2.61925e-001, A5=2.29911e-001, 
A6=3.46688e-001, A8=-2.90986e-001, A10=-3.60164e-002, A12=1.04591e-001, 
A14=-3.00530e-002
第15面
K=-2.13485e+000, A3=-3.35603e-001, A4=1.07428e-001, A5=5.73446e-002, 
A6=3.17956e-002, A8=-1.41488e-002, A10=-2.24613e-003, A12=1.25247e-003, 
A14=-1.13676e-004
第16面
K=-8.28042e+000, A3=-1.88368e-001, A4=1.28782e-002, A5=3.66406e-002, 
A6=-2.03155e-003, A8=-1.19453e-002, A10=2.47955e-003, A12=-3.84405e-004, 
A14=9.81768e-005
なお、これ以降（表のレンズデータを含む）において、１０のべき乗数（たとえば２．５×１０−００２）を、ｅ（たとえば２．５ｅ−００２）を用いて表すものとする。
【００９２】
実施例１の撮像レンズの特性を以下に列挙する。
FL       2.719
Fno       1.96
w      80.42
Ymax    2.295
BF       0.624
TL       3.189
ここで、ＦＬは撮像レンズ全系の焦点距離を意味し、ＦｎｏはＦナンバーを意味し、ｗは対角線画角を意味し、Ｙｍａｘは撮像素子の撮像面対角線長の半値を意味し、ＢＦはバックフォーカスを意味し、ＴＬは系全長を意味する。なお、以上の符号は、これ以降の実施例でも同様の意味を有するものとする。
【００９３】
実施例１の単レンズデータを以下の表３に示す。
〔表３〕
Elem   Surfs   Focal Length    Diameter
1      3- 4      2.0451        1.326
2      6- 7     -3.4465        1.321
3      9-10     23.5557        1.765
4     12-13      1.5711        2.662
5     15-16     -1.3130        3.742
【００９４】
図６は、実施例１の撮像レンズ１５等の断面図である。撮像レンズ１５は、物体側より順に、光軸ＡＸ周辺で正の屈折力を有し物体側に凸面を向けた凸平に近いメニスカスの第１レンズＬ１と、光軸ＡＸ周辺で負の屈折力を有し物体側に凸面を向けたメニスカスの第２レンズＬ２と、光軸ＡＸ周辺で弱い正の屈折力を有する両凸の第３レンズＬ３と、光軸ＡＸ周辺で正の屈折力を有し像側に凸面を向けたメニスカスの第４レンズＬ４と、光軸ＡＸ周辺で負の屈折力を有する両凹の第５レンズＬ５とを備える。全てのレンズＬ１〜Ｌ５は、プラスチック材料から形成されている。第１レンズＬ１外縁の物体側には、開口絞りＡＳが配置され、レンズＬ１〜Ｌ５の間には、遮光絞りＦＳ１〜ＦＳ４が配置されている。なお、第１レンズＬ１の光入射面と物体との間には、適当な厚さの平行平板（不図示）を配置することができる。
【００９５】
図７（Ａ）〜７（Ｃ）は、実施例１の撮像レンズ１５の諸収差図（球面収差、非点収差、歪曲収差）を示し、図７（Ｄ）及び７（Ｅ）は、実施例１の撮像レンズ１５のメリディオナルコマ収差を示している。
【００９６】
〔実施例２〕
実施例２のレンズ面のデータを以下の表４に示す。
〔表４〕
面番号       r           d        nd     vd       eff. dia.
OBJ     INFINITY      1e+020                     
1      INFINITY      0.0000                      1.200
STO     INFINITY     -0.1800                      1.200
3*       0.9815      0.3330   1.54470  55.99     1.201
4*       4.9212      0.0610                      1.114
5 FS   INFINITY      0.0000                      1.088
6*       2.3711      0.1500   1.64000  22.99     1.101
7*       1.2489      0.1710                      1.135
8 FS   INFINITY      0.0300                      1.254
9*       6.9716      0.2450   1.54470  55.99     1.298
10*     -16.8430      0.0300                      1.390
11 FS   INFINITY      0.4570                      1.502
12*      -2.9160      0.4500   1.64000  22.99     1.653
13*      -2.9933     -0.3000                      2.386
14 FS   INFINITY      0.3500                      2.978
15*       1.4752      0.4850   1.54470  55.99     3.712
16*       0.9635      0.3790                      3.940
17      INFINITY      0.1100   1.51600  64.09     4.298
18      INFINITY      0.3500                      4.348
IMG     INFINITY      0.0000                     
【００９７】
実施例２のレンズ面の非球面係数を以下の表５に示す。
〔表５〕
第3面
K=5.21930e-002, A4=-3.12446e-002, A6=3.77245e-001, A8=-1.28331e+000, 
A10=2.29492e+000, A12=4.34645e-001, A14=-1.40784e+000
第4面
K=-8.00000e+001, A4=-3.03041e-001, A6=1.82539e+000, A8=-3.14746e+000, 
A10=7.18971e-002, A12=8.20605e+000, A14=-1.02407e+001
第6面
K=-8.00000e+001, A4=-2.81974e-001, A6=1.72586e+000, A8=-1.44494e+000, 
A10=-7.64125e+000, A12=1.77489e+001, A14=-1.73755e+001
第7面
K=-1.07676e+001, A4=3.25628e-002, A6=1.61839e+000, A8=-2.74931e+000, 
A10=6.41592e+000, A12=-2.12222e+001, A14=3.13853e+001
第9面
K=3.72358e+000, A4=-3.29222e-001, A6=1.23503e-001, A8=1.80994e+000, 
A10=-3.86685e+000, A12=6.22366e-001, A14=3.83345e+001, A16=-5.53900e+001
第10面
K=8.00000e+001, A4=-1.67761e-001, A6=-7.37376e-001, A8=3.11210e+000, 
A10=-5.00410e+000, A12=1.86447e+000, A14=7.63368e+000
第12面
K=-1.70918e+001, A4=1.44682e-001, A6=-1.68005e+000, A8=5.69642e+000, 
A10=-1.87443e+001, A12=3.58991e+001, A14=-3.83571e+001, A16=1.57268e+001
第13面
K=1.83911e+000, A4=-3.31564e-001, A6=1.92382e+000, A8=-5.69702e+000, 
A10=8.90891e+000, A12=-8.02703e+000, A14=3.87798e+000, A16=-7.71205e-001
第15面
K=-3.97848e+001, A4=-3.59014e-001, A6=2.64856e-001, A8=-7.17287e-002, 
A10=1.04882e-003, A12=3.70112e-003, A14=-7.69582e-004, A16=5.03311e-005
第16面
K=-7.28644e+000, A4=-2.23101e-001, A6=1.18034e-001, A8=-3.67353e-002, 
A10=5.12364e-003, A12=1.18093e-004, A14=-6.68772e-005
【００９８】
実施例２の撮像レンズの特性を以下に列挙する。
FL       2.845
Fno       2.46
w      75.00
Ymax    2.299
BF       0.663
TL       3.264
【００９９】
実施例２の単レンズデータを以下の表６に示す。
〔表６〕
Elem   Surfs   Focal Length    Diameter
1      3- 4      2.1856        1.201
2      6- 7     -4.3499        1.135
3      9-10      9.0851        1.390
4     12-13    138.7077        2.386
5     15-16     -7.6599        3.940
【０１００】
図８は、実施例２の撮像レンズ１７等の断面図である。撮像レンズ１７は、物体側より順に、光軸ＡＸ周辺で正の屈折力を有し物体側に凸面を向けたメニスカスの第１レンズＬ１と、光軸ＡＸ周辺で負の屈折力を有し物体側に凸面を向けたメニスカスの第２レンズＬ２と、光軸ＡＸ周辺で正の屈折力を有する両凸の第３レンズＬ３と、光軸ＡＸ周辺で弱い正の屈折力を有し像側に凸面を向けたメニスカスの第４レンズＬ４と、光軸ＡＸ周辺で負の屈折力を有し物体側に凸面を向けたメニスカスの第５レンズＬ５とを備える。全てのレンズＬ１〜Ｌ５は、プラスチック材料から形成されている。第１レンズＬ１外縁の物体側には、開口絞りＡＳが配置され、レンズＬ１〜Ｌ５の間には、遮光絞りＦＳ１〜ＦＳ４が配置されている。なお、第１レンズＬ１の光入射面と物体との間には、適当な厚さの平行平板（不図示）を配置することができる。
【０１０１】
図９（Ａ）〜９（Ｃ）は、実施例２の撮像レンズ１７の諸収差図（球面収差、非点収差、歪曲収差）を示し、図９（Ｄ）及び９（Ｅ）は、実施例２の撮像レンズ１７のメリディオナルコマ収差を示している。
【０１０２】
〔実施例３〕
実施例３のレンズ面のデータを以下の表７に示す。
〔表７〕
面番号       r           d        nd     vd       eff. dia.
OBJ     INFINITY      1e+020                     
1      INFINITY      0.0500                      1.390
STO     INFINITY     -0.2193                      1.390
3*       1.1800      0.4200   1.56300  57.51     1.469
4*      42.7721      0.0450                      1.457
5 FS   INFINITY      0.0050                      1.460
6*       7.8610      0.1500   1.63469  23.86     1.436
7*       1.7182      0.2330                      1.426
8 FS   INFINITY      0.0800                      1.522
9*      14.4840      0.3440   1.54470  56.15     1.601
10*     -50.6611     -0.0200                      1.805
11 FS   INFINITY      0.4150                      2.110
12*      -8.4724      0.4430   1.54470  56.15     2.208
13*      -0.8793     -0.3500                      2.571
14 FS   INFINITY      0.5730                      3.350
15*      -7.8062      0.2500   1.54470  56.15     3.225
16*       0.9205      0.4030                      3.653
17      INFINITY      0.1100   1.51633  64.14     4.214
18      INFINITY      0.3170                      4.270
IMG     INFINITY      0.0000                   
【０１０３】
実施例３のレンズ面の非球面係数を以下の表８に示す。
〔表８〕
第3面
K=1.20295e-001, A4=6.16800e-003, A6=2.76128e-002, A8=-3.96066e-002, 
A10=1.84881e-001, A12=3.57419e-001, A14=-8.81536e-001
第4面
K=-8.00000e+001, A4=5.55389e-002, A6=1.80024e-001, A8=4.46350e-003, 
A10=-6.87161e-001, A12=-8.75790e-001, A14=8.08143e-001
第6面
K=1.32066e+001, A4=-4.95968e-002, A6=5.56985e-001, A8=-6.42766e-001, 
A10=-1.16447e+000, A12=-4.63545e-001, A14=1.85764e+000
第7面
K=-1.07421e+001, A3=-1.05703e-002, A4=2.39385e-001, A5=-6.04010e-003, 
A6=1.93047e-001, A8=-8.57504e-002, A10=-3.35227e-001, A12=-1.03234e+000, 
A14=2.96635e+000
第9面
K=-7.97371e+001, A3=1.67912e-002, A4=-2.77390e-001, A5=1.92700e-002, 
A6=1.69485e-001, A8=-3.02528e-001, A10=6.12083e-002, A12=1.37218e+000, 
A14=-9.78111e-001
第10面
K=0.00000e+000, A3=-5.63340e-003, A4=-1.91253e-001, A5=1.64110e-003, 
A6=-6.40458e-002, A8=-1.82102e-002, A10=8.73276e-002, A12=-1.21725e-001, 
A14=2.96975e-001
第12面
K=2.29161e+001, A3=3.99084e-002, A4=-1.95641e-001, A5=1.86176e-001, 
A6=-1.76248e-002, A8=-1.32199e-001, A10=1.87856e-002, A12=-1.86391e-002, 
A14=2.32222e-002
第13面
K=-6.38388e+000, A3=-1.05440e-001, A4=-2.20541e-001, A5=2.04086e-001, 
A6=2.31088e-001, A8=-2.05007e-001, A10=-2.63676e-004, A12=4.99831e-002, 
A14=-1.46342e-002
第15面
K=-2.26757e+001, A3=-2.86183e-001, A4=5.81917e-002, A5=3.75230e-002, 
A6=2.60152e-002, A8=-5.73625e-003, A10=-1.44745e-003, A12=3.59149e-004, 
A14=-8.91027e-006
第16面
K=-8.30202e+000, A3=-1.52265e-001, A4=-1.20981e-003, A5=2.02348e-002, 
A6=3.52404e-003, A8=-7.10145e-003, A10=1.12607e-003, A12=-1.67122e-004, 
A14=4.35180e-005
【０１０４】
実施例３の撮像レンズの特性を以下に列挙する。
FL       2.891
Fno       2.08
w      76.78
Ymax    2.293
BF       0.664
TL       3.381
【０１０５】
実施例３の単レンズデータを以下の表９に示す。
〔表９〕
Elem   Surfs   Focal Length    Diameter
1      3- 4      2.1476        1.469
2      6- 7     -3.4975        1.436
3      9-10     20.7173        1.805
4     12-13      1.7648        2.571
5     15-16     -1.4965        3.653
【０１０６】
図１０は、実施例３の撮像レンズ１８等の断面図である。撮像レンズ１８は、物体側より順に、光軸ＡＸ周辺で正の屈折力を有し物体側に凸面を向けた凸平に近いメニスカスの第１レンズＬ１と、光軸ＡＸ周辺で負の屈折力を有し物体側に凸面を向けたメニスカスの第２レンズＬ２と、光軸ＡＸ周辺で弱い正の屈折力を有する凸平に近い両凸の第３レンズＬ３と、光軸ＡＸ周辺で正の屈折力を有し像側に凸面を向けたメニスカスの第４レンズＬ４と、光軸ＡＸ周辺で負の屈折力を有する両凹の第５レンズＬ５とを備える。全てのレンズＬ１〜Ｌ５は、プラスチック材料から形成されている。第１レンズＬ１外縁の物体側には、開口絞りＡＳが配置され、レンズＬ１〜Ｌ５の間には、遮光絞りＦＳ１〜ＦＳ４が配置されている。なお、第１レンズＬ１の光入射面と物体との間には、適当な厚さの平行平板（不図示）を配置することができる。
【０１０７】
図１１（Ａ）〜１１（Ｃ）は、実施例３の撮像レンズ１８の諸収差図（球面収差、非点収差、歪曲収差）を示し、図１１（Ｄ）及び１１（Ｅ）は、実施例３の撮像レンズ１８のメリディオナルコマ収差を示している。
【０１０８】
〔実施例４〕
実施例４のレンズ面のデータを以下の表１０に示す。
〔表１０〕
面番号       r           d        nd     vd       eff. dia.
OBJ     INFINITY      1e+020                    
1      INFINITY      0.0500                      1.464
STO     INFINITY     -0.2435                      1.464
3*       1.2568      0.4040   1.54470  56.00     1.502
4*       8.0180      0.0700                      1.491
5 FS   INFINITY      0.0190                      1.504
6*       6.6322      0.1500   1.63469  23.86     1.476
7*       2.2303      0.2000                      1.538
8 FS   INFINITY      0.0520                      1.614
9*       9.8569      0.3470   1.54470  56.15     1.669
10*     -96.1813      0.0000                      1.797
11 FS   INFINITY      0.3350                      2.000
12*     -18.8022      0.5390   1.54470  56.15     2.080
13*      -0.8532     -0.3000                      2.499
14 FS   INFINITY      0.5120                      3.428
15*      -7.9875      0.2500   1.54470  56.15     3.108
16*       0.8801      0.2500                      3.675
17      INFINITY      0.1100   1.51633  64.14     4.073
18      INFINITY      0.4850                      4.134
IMG     INFINITY      0.0000                     
【０１０９】
実施例４のレンズ面の非球面係数を以下の表１１に示す。
〔表１１〕
第3面
K=2.02519e-001, A4=-4.12703e-003, A6=3.50029e-002, A8=-8.53752e-004, 
A10=1.06591e-001, A12=1.88864e-001, A14=-3.63334e-001
第4面
K=1.07858e+001, A4=-2.23728e-002, A6=1.89132e-001, A8=1.21639e-001, 
A10=-4.51691e-001, A12=-4.98517e-001, A14=-1.60631e-001
第6面
K=-7.02254e+001, A4=-1.10347e-001, A6=5.60675e-001, A8=-4.55026e-001, 
A10=-1.06523e+000, A12=-4.97676e-001, A14=7.89701e-001
第7面
K=-2.57603e+001, A3=-3.72850e-003, A4=1.91204e-001, A5=-4.23794e-002, 
A6=1.95713e-001, A8=-8.32246e-002, A10=-2.90752e-001, A12=-1.01859e+000, 
A14=1.68623e+000
第9面
K=-7.16430e+001, A3=6.97586e-003, A4=-2.61556e-001, A5=6.10427e-002, 
A6=1.68379e-001, A8=-4.23603e-001, A10=2.04512e-001, A12=1.97297e+000, 
A14=-1.87145e+000
第10面
K=0.00000e+000, A3=-8.13216e-003, A4=-1.85193e-001, A5=-8.44559e-003, 
A6=-6.86785e-002, A8=-2.90003e-003, A10=4.12544e-002, A12=-1.91061e-001, 
A14=4.72884e-001
第12面
K=8.00000e+001, A3=4.82563e-002, A4=-2.25745e-001, A5=2.08621e-001, 
A6=-2.87079e-002, A8=-1.89260e-001, A10=4.14664e-002, A12=1.97713e-002, 
A14=-2.49444e-002
第13面
K=-6.28687e+000, A3=-9.87785e-002, A4=-2.32143e-001, A5=1.90900e-001, 
A6=2.30808e-001, A8=-2.02504e-001, A10=-2.96206e-003, A12=4.86242e-002, 
A14=-1.38078e-002
第15面
K=5.09168e+000, A3=-3.00349e-001, A4=5.94822e-002, A5=3.98436e-002, 
A6=2.72056e-002, A8=-5.70579e-003, A10=-1.45576e-003, A12=3.67231e-004, 
A14=-1.13945e-005
第16面
K=-8.02522e+000, A3=-1.48533e-001, A4=1.81488e-003, A5=2.19876e-002, 
A6=2.72398e-003, A8=-7.00641e-003, A10=1.27333e-003, A12=-1.63098e-004, 
A14=2.91955e-005
【０１１０】
実施例４の撮像レンズの特性を以下に列挙する。
FL       2.723
Fno       1.86
w      80.28
Ymax    2.294
BF       0.664
TL       3.386
【０１１１】
実施例４の単レンズデータを以下の表１２に示す。
〔表１２〕
Elem   Surfs   Focal Length    Diameter
1      3- 4      2.6798        1.502
2      6- 7     -5.3656        1.538
3      9-10     16.4328        1.797
4     12-13      1.6236        2.499
5     15-16     -1.4411        3.675
【０１１２】
図１２は、実施例４の撮像レンズ２３等の断面図である。撮像レンズ２３は、物体側より順に、光軸ＡＸ周辺で正の屈折力を有し物体側に凸面を向けたメニスカスの第１レンズＬ１と、光軸ＡＸ周辺で負の屈折力を有し物体側に凸面を向けたメニスカスの第２レンズＬ２と、光軸ＡＸ周辺で弱い正の屈折力を有する凸平に近い両凸の第３レンズＬ３と、光軸ＡＸ周辺で正の屈折力を有し像側に凸面を向けたメニスカスの第４レンズＬ４と、光軸ＡＸ周辺で負の屈折力を有する両凹の第５レンズＬ５とを備える。全てのレンズＬ１〜Ｌ５は、プラスチック材料から形成されている。第１レンズＬ１外縁の物体側には、開口絞りＡＳが配置され、レンズＬ１〜Ｌ５の間には、遮光絞りＦＳ１〜ＦＳ４が配置されている。なお、第１レンズＬ１の光入射面と物体との間には、適当な厚さの平行平板（不図示）を配置することができる。
【０１１３】
図１３（Ａ）〜１３（Ｃ）は、実施例４の撮像レンズ２３の諸収差図（球面収差、非点収差、歪曲収差）を示し、図１３（Ｄ）及び１３（Ｅ）は、実施例４の撮像レンズ２３のメリディオナルコマ収差を示している。
【０１１４】
〔実施例５〕
実施例５のレンズ面のデータを以下の表１３に示す。
〔表１３〕
面番号       r           d        nd     vd       eff. dia.
OBJ     INFINITY      1e+020                     
STO     INFINITY      0.0000                      1.436
2      INFINITY     -0.2870                      1.436
3*       1.0070      0.4360   1.54470  55.99     1.437
4*       4.4637      0.0450                      1.327
5 FS   INFINITY      0.0000                      1.312
6*       3.3464      0.1500   1.64000  23.29     1.278
7*       1.8013      0.2020                      1.130
8 FS   INFINITY      0.1000                      1.320
9*     -71.6959      0.2300   1.54470  55.99     1.313
10*     -26.1486     -0.0500                      1.522
11 FS   INFINITY      0.4250                      1.690
12*      -3.4186      0.3230   1.64000  23.29     1.767
13*      -4.3498     -0.3200                      2.382
14 FS   INFINITY      0.3700                      2.980
15*       1.6158      0.6180   1.54470  55.99     3.640
16*       1.2788      0.3630                      3.870
17      INFINITY      0.1100   1.51633  64.14     4.333
18      INFINITY      0.3430                      4.368
IMG     INFINITY      0.0000                     
【０１１５】
実施例５のレンズ面の非球面係数を以下の表１４に示す。
〔表１４〕
第3面
K=-6.57711e-002, A4=1.87744e-002, A6=8.89395e-002, A8=-2.10715e-001, 
A10=7.50299e-001, A12=-1.29577e+000, A14=1.24466e+000
第4面
K=-7.99987e+001, A4=-3.69373e-001, A6=1.53873e+000, A8=-2.33959e+000, 
A10=-5.87555e-001, A12=7.16396e+000, A14=-6.72109e+000
第6面
K=-7.53568e+001, A4=-5.63195e-001, A6=2.21534e+000, A8=-2.11612e+000, 
A10=-5.39776e+000, A12=1.78352e+001, A14=-1.50203e+001
第7面
K=-2.09163e+001, A4=3.82920e-002, A6=8.07164e-001, A8=-9.53705e-001, 
A10=6.19105e+000, A12=-2.18787e+001, A14=3.13844e+001
第9面
K=-4.53393e+000, A4=-4.17160e-001, A6=-2.24877e-001, A8=2.35151e+000, 
A10=-7.93832e+000, A12=4.80928e+000, A14=3.83357e+001, A16=-5.53896e+001
第10面
K=7.75444e+001, A4=-2.85713e-001, A6=-4.81983e-001, A8=1.66316e+000, 
A10=-3.35328e+000, A12=4.86831e+000, A14=-1.33944e+000
第12面
K=-3.17714e+001, A4=2.63823e-001, A6=-1.69814e+000, A8=5.64088e+000, 
A10=-1.86920e+001, A12=3.60010e+001, A14=-3.74695e+001, A16=1.56625e+001
第13面
K=4.80458e+000, A4=-3.46799e-001, A6=1.93223e+000, A8=-5.74051e+000, 
A10=8.90348e+000, A12=-7.99894e+000, A14=3.88427e+000, A16=-7.78210e-001
第15面
K=-3.47047e+001, A4=-3.77991e-001, A6=2.65778e-001, A8=-7.13874e-002, 
A10=1.14099e-003, A12=3.68352e-003, A14=-7.92031e-004, A16=5.50885e-005
第16面
K=-6.65888e+000, A4=-2.20019e-001, A6=1.09281e-001, A8=-3.73100e-002, 
A10=5.20772e-003, A12=1.05444e-004, A14=-6.24856e-005
【０１１６】
実施例５の撮像レンズの特性を以下に列挙する。
FL       2.945
Fno       2.05
w      75.00
Ymax    2.298
BF       0.665
TL       3.308
【０１１７】
実施例５の単レンズデータを以下の表１５に示す。
〔表１５〕
Elem   Surfs   Focal Length    Diameter
1      3- 4      2.2856        1.437
2      6- 7     -6.3353        1.278
3      9-10     75.4312        1.522
4     12-13    -28.8606        2.382
5     15-16    -31.8629        3.870
【０１１８】
図１４は、実施例５の撮像レンズ２４等の断面図である。撮像レンズ２４は、物体側より順に、光軸ＡＸ周辺で正の屈折力を有し物体側に凸面を向けたメニスカスの第１レンズＬ１と、光軸ＡＸ周辺で負の屈折力を有し物体側に凸面を向けたメニスカスの第２レンズＬ２と、光軸ＡＸ周辺で弱い正の屈折力を有し略平板状で物体側に僅かに凸面を向けたメニスカスの第３レンズＬ３と、光軸ＡＸ周辺で弱い負の屈折力を有し像側に凸面を向けたメニスカスの第４レンズＬ４と、光軸ＡＸ周辺で弱い負の屈折力を有し物体側に凸面を向けたメニスカスの第５レンズＬ５とを備える。全てのレンズＬ１〜Ｌ５は、プラスチック材料から形成されている。第１レンズＬ１外縁の物体側には、開口絞りＡＳが配置され、レンズＬ１〜Ｌ５の間には、遮光絞りＦＳ１〜ＦＳ４が配置されている。なお、第１レンズＬ１の光入射面と物体との間には、適当な厚さの平行平板（不図示）を配置することができる。
【０１１９】
図１５（Ａ）〜１５（Ｃ）は、実施例５の撮像レンズ２４の諸収差図（球面収差、非点収差、歪曲収差）を示し、図１５（Ｄ）及び１５（Ｅ）は、実施例５の撮像レンズ２４のメリディオナルコマ収差を示している。
【０１２０】
〔実施例６〕
実施例６のレンズ面のデータを以下の表１６に示す。
〔表１６〕
面番号       r           d        nd     vd       eff. dia.
OBJ     INFINITY      1e+020                     
1 FS   INFINITY      0.0500                      1.304
2      INFINITY     -0.2080                      1.304
3*       1.1249      0.3740   1.54470  55.99     1.304
4*     -36.1053      0.0330                      1.219
STO     INFINITY      0.0140                      1.200
6*       8.4757      0.1410   1.63469  23.86     1.211
7*       1.6330      0.2380                      1.263
8 FS   INFINITY      0.0660                      1.468
9*       9.9552      0.3490   1.54470  56.15     1.488
10*     INFINITY     -0.0190                      1.731
11 FS   INFINITY      0.4020                      1.960
12*     -19.0041      0.3960   1.54470  56.15     2.184
13*      -0.8281     -0.2830                      2.652
14 FS   INFINITY      0.4760                      3.400
15*      -4.1782      0.2520   1.54470  56.15     3.616
16*       0.8800      0.3790                      3.727
17      INFINITY      0.1100   1.51633  64.14     4.295
18      INFINITY      0.2950                      4.351
IMG     INFINITY      0.0000                      
【０１２１】
実施例６のレンズ面の非球面係数を以下の表１７に示す。
〔表１７〕
第3面
K=8.40264e-002, A4=1.02321e-002, A6=5.03617e-002, A8=-1.50596e-002, 
A10=2.37600e-001, A12=3.52465e-001, A14=-1.42856e+000
第4面
K=-8.00000e+001, A4=9.74015e-002, A6=2.00287e-001, A8=-1.21203e-002, 
A10=-1.44040e+000, A12=-1.49800e+000, A14=3.26565e+000
第6面
K=-1.51570e+001, A4=-7.79693e-002, A6=7.46629e-001, A8=-9.74241e-001, 
A10=-2.17276e+000, A12=-4.43062e-001, A14=5.61041e+000
第7面
K=-1.07565e+001, A3=-1.85220e-002, A4=2.19991e-001, A5=-2.69574e-002, 
A6=3.01310e-001, A8=-2.00645e-001, A10=-5.24269e-001, A12=-1.49950e+000, 
A14=5.67612e+000
第9面
K=-2.46828e+001, A3=2.00398e-002, A4=-3.56055e-001, A5=5.29551e-003, 
A6=3.33816e-001, A8=-6.78811e-001, A10=4.37584e-002, A12=2.98366e+000, 
A14=-2.44695e+000
第10面
K=0.00000e+000, A3=-2.58543e-002, A4=-2.01044e-001, A5=-1.47727e-002, 
A6=-1.48195e-001, A8=8.35685e-002, A10=1.56334e-001, A12=-4.60494e-001, 
A14=7.71746e-001
第12面
K=7.89034e+001, A3=4.44820e-002, A4=-2.61281e-001, A5=2.27258e-001, 
A6=5.68724e-002, A8=-3.46559e-001, A10=1.88372e-001, A12=-1.06288e-001, 
A14=4.47185e-002
第13面
K=-6.09314e+000, A3=-9.70957e-002, A4=-2.64846e-001, A5=2.51452e-001, 
A6=3.44712e-001, A8=-3.07330e-001, A10=-3.30800e-002, A12=1.08985e-001, 
A14=-3.16370e-002
第15面
K=-3.74130e+000, A3=-3.28773e-001, A4=1.08535e-001, A5=5.69349e-002, 
A6=3.16204e-002, A8=-1.41890e-002, A10=-2.28439e-003, A12=1.24091e-003, 
A14=-1.08557e-004
第16面
K=-8.42520e+000, A3=-1.88142e-001, A4=1.53126e-002, A5=3.59111e-002, 
A6=-2.12707e-003, A8=-1.20069e-002, A10=2.38451e-003, A12=-3.95316e-004, 
A14=1.06959e-004
【０１２２】
実施例６の撮像レンズの特性を以下に列挙する。
FL       2.726
Fno       1.97
w      80.46
Ymax    2.295
BF       0.626
TL       3.186
【０１２３】
実施例６の単レンズデータを以下の表１８に示す。
〔表１８〕
Elem   Surfs   Focal Length    Diameter
1      3- 4      2.0099        1.304
2      6- 7     -3.2127        1.263
3      9-10     18.2765        1.731
4     12-13      1.5774        2.652
5     15-16     -1.3114        3.727
【０１２４】
図１６は、実施例６の撮像レンズ２６等の断面図である。撮像レンズ２６は、物体側より順に、光軸ＡＸ周辺で正の屈折力を有し凸平に近い両凸の第１レンズＬ１と、光軸ＡＸ周辺で負の屈折力を有し物体側に凸面を向けたメニスカスの第２レンズＬ２と、光軸ＡＸ周辺で弱い正の屈折力を有し物体側に凸面を向けた凸平の第３レンズＬ３と、光軸ＡＸ周辺で正の屈折力を有し像側に凸面を向けたメニスカスの第４レンズＬ４と、光軸ＡＸ周辺で負の屈折力を有する両凹の第５レンズＬ５とを備える。全てのレンズＬ１〜Ｌ５は、プラスチック材料から形成されている。第１レンズＬ１と第２レンズＬ２と間には、開口絞りＡＳが配置されている。第１レンズＬ１外縁の物体側には、遮光絞りＦＳ１が配置され、レンズＬ２〜Ｌ５の間には、遮光絞りＦＳ２〜ＦＳ４が配置されている。なお、第１レンズＬ１の光入射面と物体との間には、適当な厚さの平行平板（不図示）を配置することができる。
【０１２５】
図１７（Ａ）〜１７（Ｃ）は、実施例６の撮像レンズ２６の諸収差図（球面収差、非点収差、歪曲収差）を示し、図１７（Ｄ）及び１７（Ｅ）は、実施例６の撮像レンズ２６のメリディオナルコマ収差を示している。
【０１２６】
〔実施例７〕
実施例７のレンズ面のデータを以下の表１９に示す。
〔表１９〕
面番号       r           d        nd     vd       eff. dia.
OBJ     INFINITY      1e+020                     
STO     INFINITY      0.0500                      1.304
2      INFINITY     -0.2200                      1.304
3*       1.0857      0.3630   1.54470  56.00     1.305
4*       8.1718      0.0570                      1.216
5 FS   INFINITY     -0.0100                      1.190
6*       3.1098      0.1410   1.63469  23.86     1.201
7*       1.4403      0.2540                      1.237
8 FS   INFINITY      0.0980                      1.476
9*      49.2357      0.3230   1.54470  56.15     1.598
10*     -12.9135     -0.0500                      1.756
11 FS   INFINITY      0.4280                      2.080
12*      -7.7806      0.3590   1.54470  56.15     2.074
13*      -0.9314     -0.3300                      2.502
14 FS   INFINITY      0.6000                      2.940
15*      -2.9973      0.2360   1.54470  56.15     3.323
16*       1.1145      0.3630                      3.638
17      INFINITY      0.1100   1.51633  64.14     4.292
18      INFINITY      0.2730                      4.351
IMG     INFINITY      0.0000                     
【０１２７】
実施例７のレンズ面の非球面係数を以下の表２０に示す。
〔表２０〕
非球面係数
第3面
K=1.73380e-001, A4=4.43256e-003, A6=3.72606e-002, A8=-6.56219e-003, 
A10=2.26339e-001, A12=3.38390e-001, A14=-1.30834e+000
第4面
K=-8.00000e+001, A4=1.54234e-002, A6=2.84951e-001, A8=-4.88615e-002, 
A10=-1.40133e+000, A12=-1.37798e+000, A14=3.11248e+000
第6面
K=-1.83748e+001, A4=-8.32558e-002, A6=6.85797e-001, A8=-9.35273e-001, 
A10=-2.07282e+000, A12=-3.84205e-001, A14=5.00835e+000
第7面
K=-8.44438e+000, A3=-9.20460e-003, A4=2.96508e-001, A5=-1.26192e-002, 
A6=2.41452e-001, A8=-1.97538e-001, A10=-3.90770e-001, A12=-1.36346e+000, 
A14=5.94126e+000
第9面
K=8.00000e+001, A3=3.02113e-002, A4=-3.20664e-001, A5=5.43858e-002, 
A6=2.44702e-001, A8=-4.80922e-001, A10=5.25911e-002, A12=2.46165e+000, 
A14=-2.03066e+000
第10面
K=0.00000e+000, A3=-6.46732e-003, A4=-2.20744e-001, A5=1.95666e-003, 
A6=-7.65808e-002, A8=-1.85170e-002, A10=1.30669e-001, A12=-2.67612e-001, 
A14=5.88789e-001
第12面
K=4.72147e+001, A3=3.47848e-002, A4=-2.42134e-001, A5=2.39067e-001, 
A6=-4.01586e-002, A8=-2.13031e-001, A10=5.52927e-002, A12=-2.30662e-002, 
A14=1.11740e-002
第13面
K=-6.81461e+000, A3=-1.07431e-001, A4=-2.80731e-001, A5=2.48387e-001, 
A6=3.07155e-001, A8=-3.07188e-001, A10=3.22283e-003, A12=9.69519e-002, 
A14=-3.33563e-002
第15面
K=-1.42099e+001, A3=-3.20224e-001, A4=7.77760e-002, A5=5.12229e-002, 
A6=3.55687e-002, A8=-9.46570e-003, A10=-2.78569e-003, A12=6.55579e-004, 
A14=1.37201e-005
第16面
K=-1.24702e+001, A3=-1.48441e-001, A4=-6.87741e-003, A5=2.41497e-002, 
A6=4.95825e-003, A8=-1.02330e-002, A10=2.00168e-003, A12=-3.45065e-004, 
A14=8.07609e-005
【０１２８】
実施例７の撮像レンズの特性を以下に列挙する。
FL       2.832
Fno       2.05
w      78.27
Ymax    2.291
BF       0.621
TL       3.178
【０１２９】
実施例７の単レンズデータを以下の表２１に示す。
〔表２１〕
Elem   Surfs   Focal Length    Diameter
1      3- 4      2.2579        1.305
2      6- 7     -4.3703        1.237
3      9-10     18.8160        1.756
4     12-13      1.9073        2.502
5     15-16     -1.4620        3.638
【０１３０】
図１８は、実施例７の撮像レンズ２７等の断面図である。撮像レンズ２７は、物体側より順に、光軸ＡＸ周辺で正の屈折力を有し物体側に凸面を向けたメニスカスの第１レンズＬ１と、光軸ＡＸ周辺で負の屈折力を有し物体側に凸面を向けたメニスカスの第２レンズＬ２と、光軸ＡＸ周辺で弱い正の屈折力を有する平凸に近い両凸の第３レンズＬ３と、光軸ＡＸ周辺で正の屈折力を有し像側に凸面を向けたメニスカスの第４レンズＬ４と、光軸ＡＸ周辺で負の屈折力を有する両凹の第５レンズＬ５とを備える。全てのレンズＬ１〜Ｌ５は、プラスチック材料から形成されている。第１レンズＬ１外縁の物体側には、開口絞りＡＳが配置され、レンズＬ１〜Ｌ５の間には、遮光絞りＦＳ１〜ＦＳ４が配置されている。なお、第１レンズＬ１の光入射面と物体との間には、適当な厚さの平行平板（不図示）を配置することができる。
【０１３１】
図１９（Ａ）〜１９（Ｃ）は、実施例７の撮像レンズ２７の諸収差図（球面収差、非点収差、歪曲収差）を示し、図１９（Ｄ）及び１９（Ｅ）は、実施例７の撮像レンズ２７のメリディオナルコマ収差を示している。
【０１３２】
〔実施例８〕
実施例８のレンズ面のデータを以下の表２２に示す。
〔表２２〕
面番号       r           d        nd     vd       eff. dia.
OBJ     INFINITY      1e+020                    
1      INFINITY      0.0500                      1.390
STO     INFINITY     -0.2480                      1.390
3*       1.1053      0.3820   1.54470  56.00     1.390
4*      25.4045      0.0380                      1.309
5 FS   INFINITY      0.0160                      1.300
6*       5.8920      0.1410   1.63469  23.86     1.300
7*       1.6146      0.2360                      1.321
8 FS   INFINITY      0.0640                      1.480
9*      16.4299      0.3360   1.54470  56.15     1.598
10*     -16.7544     -0.0060                      1.757
11 FS   INFINITY      0.3770                      2.040
12*     -11.0729      0.4030   1.54470  56.15     2.113
13*      -0.8776     -0.3300                      2.556
14 FS   INFINITY      0.5640                      3.140
15*      -3.5905      0.2360   1.54470  56.15     3.390
16*       0.9964      0.3710                      3.663
17      INFINITY      0.1100   1.51633  64.14     4.274
18      INFINITY      0.2820                      4.330
IMG     INFINITY      0.0000                      
【０１３３】
実施例８のレンズ面の非球面係数を以下の表２３に示す。
〔表２３〕
第3面
K=1.62514e-001, A4=-8.98292e-004, A6=4.54336e-002, A8=-2.73319e-003, 
A10=2.30274e-001, A12=3.45125e-001, A14=-1.32786e+000
第4面
K=-1.93893e+001, A4=4.35111e-002, A6=2.77899e-001, A8=-2.61310e-002, 
A10=-1.37455e+000, A12=-1.50543e+000, A14=2.77206e+000
第6面
K=-1.36249e+001, A4=-7.17390e-002, A6=7.05117e-001, A8=-9.46454e-001, 
A10=-2.16655e+000, A12=-4.97699e-001, A14=4.96373e+000
第7面
K=-1.08493e+001, A3=-1.27634e-002, A4=2.94444e-001, A5=-9.18674e-003, 
A6=2.26141e-001, A8=-2.58022e-001, A10=-3.83535e-001, A12=-1.32357e+000, 
A14=5.39470e+000
第9面
K=6.49613e+001, A3=2.45526e-002, A4=-3.19033e-001, A5=4.25781e-002, 
A6=2.38811e-001, A8=-4.63675e-001, A10=7.00370e-002, A12=2.46346e+000, 
A14=-2.02429e+000
第10面
K=0.00000e+000, A3=2.58179e-003, A4=-2.32693e-001, A5=5.01409e-003, 
A6=-7.32355e-002, A8=-2.54092e-002, A10=1.25676e-001, A12=-2.64607e-001, 
A14=6.15434e-001
第12面
K=2.03388e+001, A3=3.17790e-002, A4=-2.28753e-001, A5=2.27579e-001, 
A6=-4.21970e-002, A8=-2.06446e-001, A10=5.01729e-002, A12=-2.94495e-002, 
A14=1.89381e-002
第13面
K=-6.33003e+000, A3=-9.76035e-002, A4=-2.77113e-001, A5=2.50360e-001, 
A6=3.06966e-001, A8=-3.09782e-001, A10=8.02296e-004, A12=9.62978e-002, 
A14=-3.20380e-002
第15面
K=-2.05412e+001, A3=-3.20488e-001, A4=7.41430e-002, A5=4.91917e-002, 
A6=3.50046e-002, A8=-9.14111e-003, A10=-2.62533e-003, A12=6.75709e-004, 
A14=-2.00236e-006
第16面
K=-1.03289e+001, A3=-1.54387e-001, A4=-4.13212e-003, A5=2.51123e-002, 
A6=4.88690e-003, A8=-1.06791e-002, A10=1.88157e-003, A12=-3.41999e-004, 
A14=9.25579e-005
【０１３４】
実施例８の撮像レンズの特性を以下に列挙する。
FL       2.725
Fno       1.96
w      80.45
Ymax    2.295
BF       0.621
TL       3.183
【０１３５】
実施例８の単レンズデータを以下の表２４に示す。
〔表２４〕
Elem   Surfs   Focal Length    Diameter
1      3- 4      2.1098        1.390
2      6- 7     -3.5496        1.321
3      9-10     15.2836        1.757
4     12-13      1.7258        2.556
5     15-16     -1.4064        3.663
【０１３６】
図２０は、実施例８の撮像レンズ２９等の断面図である。撮像レンズ２９は、物体側より順に、光軸ＡＸ周辺で正の屈折力を有し物体側に凸面を向けた凸平に近いメニスカスの第１レンズＬ１と、光軸ＡＸ周辺で負の屈折力を有し物体側に凸面を向けたメニスカスの第２レンズＬ２と、光軸ＡＸ周辺で弱い正の屈折力を有する両凸の第３レンズＬ３と、光軸ＡＸ周辺で正の屈折力を有し像側に凸面を向けたメニスカスの第４レンズＬ４と、光軸ＡＸ周辺で負の屈折力を有する両凹の第５レンズＬ５とを備える。全てのレンズＬ１〜Ｌ５は、プラスチック材料から形成されている。第１レンズＬ１外縁の物体側には、開口絞りＡＳが配置され、レンズＬ１〜Ｌ５の間には、遮光絞りＦＳ１〜ＦＳ４が配置されている。なお、第１レンズＬ１の光入射面と物体との間には、適当な厚さの平行平板（不図示）を配置することができる。
【０１３７】
図２１（Ａ）〜２１（Ｃ）は、実施例８の撮像レンズ２９の諸収差図（球面収差、非点収差、歪曲収差）を示し、図２１（Ｄ）及び２１（Ｅ）は、実施例８の撮像レンズ２９のメリディオナルコマ収差を示している。
【０１３８】
〔実施例９〕
実施例９のレンズ面のデータを以下の表２５に示す。
〔表２５〕
面番号       r           d        nd     vd       eff. dia.
OBJ     INFINITY      1e+020                      
1 FS   INFINITY      0.0000                      1.430
2      INFINITY     -0.2603                      1.430
3*       1.0123      0.4130   1.54470  55.99     1.429
4*       3.7185      0.0550                      1.328
STO     INFINITY      0.0000                      1.306
6*       2.8231      0.1500   1.64000  22.99     1.278
7*       1.6845      0.1800                      1.132
8 FS   INFINITY      0.1160                      1.324
9*      24.6917      0.1890   1.54470  55.99     1.323
10*     -24.2917     -0.0200                      1.454
11 FS   INFINITY      0.4360                      1.640
12*      -4.0293      0.3300   1.64000  22.99     1.757
13*      -2.7449     -0.3000                      2.362
14 FS   INFINITY      0.3500                      2.988
15*       1.9631      0.5490   1.54470  55.99     3.508
16*       1.1114      0.3660                      3.775
17      INFINITY      0.1100   1.51633  64.14     4.340
18      INFINITY      0.3400                      4.386
IMG     INFINITY      0.0000                      
【０１３９】
実施例９のレンズ面の非球面係数を以下の表２６に示す。
〔表２６〕
第3面
K=-6.26507e-002, A4=2.38370e-003, A6=1.89893e-001, A8=-3.74627e-001, 
A10=6.14314e-001, A12=-8.25390e-001, A14=1.52043e+000
第4面
K=-5.96410e+001, A4=-4.16478e-001, A6=1.59346e+000, A8=-2.37201e+000, 
A10=-4.83646e-001, A12=8.37888e+000, A14=-9.12240e+000
第6面
K=-7.09673e+001, A4=-6.60932e-001, A6=2.24445e+000, A8=-1.67706e+000, 
A10=-5.36649e+000, A12=1.61208e+001, A14=-1.51991e+001
第7面
K=-2.04738e+001, A4=-6.02700e-002, A6=1.02572e+000, A8=-1.19138e+000, 
A10=7.60784e+000, A12=-2.49757e+001, A14=3.13844e+001
第9面
K=8.00000e+001, A4=-5.93743e-001, A6=5.51192e-002, A8=2.12471e+000, 
A10=-9.32947e+000, A12=9.57098e+000, A14=3.83357e+001, A16=-5.53896e+001
第10面
K=-8.00000e+001, A4=-4.69254e-001, A6=-3.29722e-001, A8=1.70508e+000, 
A10=-4.39810e+000, A12=6.35402e+000, A14=3.53412e-001
第12面
K=-6.62835e+001, A4=2.21419e-001, A6=-1.62188e+000, A8=5.81030e+000, 
A10=-1.95438e+001, A12=3.61305e+001, A14=-3.52101e+001, A16=1.35054e+001
第13面
K=-1.58612e+001, A4=-2.46060e-001, A6=1.76650e+000, A8=-5.70601e+000, 
A10=8.95277e+000, A12=-8.01231e+000, A14=3.86179e+000, A16=-7.66740e-001
第15面
K=-6.37878e+001, A4=-3.69650e-001, A6=2.66546e-001, A8=-7.23684e-002, 
A10=1.03034e-003, A12=3.75390e-003, A14=-7.66838e-004, A16=4.81655e-005
第16面
K=-7.56176e+000, A4=-2.23118e-001, A6=1.10389e-001, A8=-3.65242e-002, 
A10=4.94625e-003, A12=4.15199e-005, A14=-3.77553e-005
【０１４０】
実施例９の撮像レンズの特性を以下に列挙する。
FL       2.839
Fno       2.05
w      76.34
Ymax    2.299
BF       0.659
TL       3.227
【０１４１】
実施例９の単レンズデータを以下の表２７に示す。
〔表２７〕
Elem   Surfs   Focal Length    Diameter
1      3- 4      2.4233        1.429
2      6- 7     -6.8797        1.278
3      9-10     22.5109        1.454
4     12-13     12.2282        2.362
5     15-16     -6.0866        3.775
【０１４２】
図２２は、実施例９の撮像レンズ３０等の断面図である。撮像レンズ３０は、物体側より順に、光軸ＡＸ周辺で正の屈折力を有し物体側に凸面を向けた凸平に近いメニスカスの第１レンズＬ１と、光軸ＡＸ周辺で負の屈折力を有し物体側に凸面を向けたメニスカスの第２レンズＬ２と、光軸ＡＸ周辺で弱い正の屈折力を有する両凸の第３レンズＬ３と、光軸ＡＸ周辺で正の屈折力を有し像側に凸面を向けたメニスカスの第４レンズＬ４と、光軸ＡＸ周辺で負の屈折力を有する両凹の第５レンズＬ５とを備える。全てのレンズＬ１〜Ｌ５は、プラスチック材料から形成されている。第１レンズＬ１外縁の物体側には、開口絞りＡＳが配置され、レンズＬ１〜Ｌ５の間には、遮光絞りＦＳ１〜ＦＳ４が配置されている。なお、第１レンズＬ１の光入射面と物体との間には、適当な厚さの平行平板（不図示）を配置することができる。
【０１４３】
図２３（Ａ）〜２３（Ｃ）は、実施例９の撮像レンズ３０の諸収差図（球面収差、非点収差、歪曲収差）を示し、図２３（Ｄ）及び２３（Ｅ）は、実施例９の撮像レンズ３０のメリディオナルコマ収差を示している。
【０１４４】
以下の表２８は、参考のため、各条件式（１）〜（１４）に対応する各実施例１〜９の値をまとめたものである。
〔表２８〕
2014153577.tif 000004
【０１４５】
以上では、実施形態や実施例に即して本発明を説明したが、本発明は、上記実施形態等に限定されるものではない。例えば、遮光絞りＦＳ１〜ＦＳ４は、金属板に限らず、樹脂又はセラミックスの板状部材とすることができ、レンズのフランジ部３９を遮光性の材料で塗装することによっても組み込むことができる。さらに、遮光絞りＦＳ１〜ＦＳ４は、完全な遮光体に限らず、口径外で減光を行うものであってもよい。遮光絞りＦＳ１〜ＦＳ４を遮光板等とする場合、一対のレンズ間に複数の遮光板等を配置することもできる。
【符号の説明】
【０１４６】
１０…撮像レンズ、  ５０…カメラモジュール、  ５１…撮像素子、  １００…撮像装置、  ３００…携帯端末、ＡＸ…光軸、  Ｌ１−Ｌ５…レンズ、ＡＳ…開口絞り、  ＦＳ１−ＦＳ４…遮光絞り、  Ｉ…撮像面（像面）
【図１】
2014153577.tif 000005
【図２】
2014153577.tif 000006
【図３】
2014153577.tif 000007
【図４】
2014153577.tif 000008
【図５】
2014153577.tif 000009
【図６】
2014153577.tif 000010
【図７】
2014153577.tif 000011
【図８】
2014153577.tif 000012
【図９】
2014153577.tif 000013
【図１０】
2014153577.tif 000014
【図１１】
2014153577.tif 000015
【図１２】
2014153577.tif 000016
【図１３】
2014153577.tif 000017
【図１４】
2014153577.tif 000018
【図１５】
2014153577.tif 000019
【図１６】
2014153577.tif 000020
【図１７】
2014153577.tif 000021
【図１８】
2014153577.tif 000022
【図１９】
2014153577.tif 000023
【図２０】
2014153577.tif 000024
【図２１】
2014153577.tif 000025
【図２２】
2014153577.tif 000026
【図２３】
2014153577.tif 000027